(57)【特許請求の範囲】
【請求項１】
無線通信のための方法であって、
基地局からデータを受信する段階と、
ビームのインデックスを示す多入力多出力（ＭＩＭＯ）パラメータ情報に基づいて、第２シーケンスにおける最初の位置を決定する段階と、
初期値および前記最初の位置に基づいて第１シーケンスを取得する段階と、
前記第１シーケンスに基づいて前記データをデスクランブル処理する段階と
を備える
方法。
【請求項２】
前記初期値はセル識別子と関連付けられる、
請求項１に記載の方法。
【請求項３】
前記最初の位置に応じて前記第２シーケンスから前記第１シーケンスを取得する段階
をさらに備える
請求項１または２に記載の方法。
【請求項４】
前記第２シーケンスは、セル識別子および時間ドメインリソースインデックスと関連付けられる、
請求項１から３のいずれか一項に記載の方法。
【請求項５】
前記第１シーケンスは、ｃ（ｎ）であり、ｃ（ｎ）＝ｃ１（ｎ＋ｘ）であり、ｃ１（ｎ）は前記第２シーケンスであり、ｘは前記最初の位置である、
請求項１から４のいずれか一項に記載の方法。
【請求項６】
前記ビームの前記インデックスは、前記第１シーケンスと関連付けられる第１部分と、物理ブロードキャストチャネル（ＰＢＣＨ）において搬送される第２部分とを含む、
請求項１から５のうちいずれか一項に記載の方法。
【請求項７】
前記時間ドメインリソースインデックスは、前記第１シーケンスと関連付けられる第１部分と、物理ブロードキャストチャネル（ＰＢＣＨ）において搬送される第２部分とを含む、
請求項４に記載の方法。
【請求項８】
前記時間ドメインリソースインデックスの前記第２部分を含む信号と同期信号とを受信する段階
をさらに備える
請求項７に記載の方法。
【請求項９】
基地局からデータを受信する前記段階は、前記基地局からＰＢＣＨにおいて前記データを受信する段階である、
請求項１から８のうちいずれか一項に記載の方法。
【請求項１０】
前記第１シーケンスを使用することによって参照信号を生成する段階と、
前記参照信号を使用することによって、受信した前記データを復調する段階と
をさらに備える
請求項１から９のうちいずれか一項に記載の方法。
【請求項１１】
通信装置であって、
基地局からデータを受信するよう構成される受信モジュールと、
ビームのインデックスを示す多入力多出力（ＭＩＭＯ）パラメータ情報に基づいて、第２シーケンスにおける最初の位置を決定するよう構成される処理モジュールであって、
前記処理モジュールは、初期値および前記最初の位置に基づいて第１シーケンスを取得するようさらに構成され、
前記処理モジュールは、前記第１シーケンスに基づいて前記データをデスクランブル処理するようさらに構成される、処理モジュールと
を備える
装置。
【請求項１２】
前記初期値はセル識別子と関連付けられる、
請求項１１に記載の装置。
【請求項１３】
前記初期値は、前記第２シーケンスを生成するためのシフトレジスタの初期化された値である、
請求項１２に記載の装置。
【請求項１４】
前記処理モジュールはさらに、
前記最初の位置に応じて前記第２シーケンスから前記第１シーケンスを取得するよう構成される、
請求項１１から１３のうちいずれか一項に記載の装置。
【請求項１５】
前記第２シーケンスは、セル識別子および時間ドメインリソースインデックスと関連付けられる、
請求項１１から１４のいずれか一項に記載の装置。
【請求項１６】
前記第１シーケンスはｃ（ｎ）であり、ｃ（ｎ）＝ｃ１（ｎ＋ｘ）であり、ｃ１（ｎ）は前記第２シーケンスであり、ｘは前記最初の位置である、
請求項１１から１５のいずれか一項に記載の装置。
【請求項１７】
前記ビームの前記インデックスは、前記第１シーケンスと関連付けられる第１部分と、物理ブロードキャストチャネル（ＰＢＣＨ）において搬送される第２部分とを含む、
請求項１１から１６のうちいずれか一項に記載の装置。
【請求項１８】
前記時間ドメインリソースインデックスは、前記第１シーケンスと関連付けられる第１部分と、物理ブロードキャストチャネル（ＰＢＣＨ）において搬送される第２部分とを含む、
請求項１５に記載の装置。
【請求項１９】
前記受信モジュールはさらに、
前記時間ドメインリソースインデックスの前記第２部分を含む信号と同期信号とを受信するよう構成される、
請求項１８に記載の装置。
【請求項２０】
前記受信モジュールは、前記基地局からＰＢＣＨにおいて前記データを受信するよう構成される、
請求項１１から１９のうちいずれか一項に記載の装置。
【請求項２１】
前記処理モジュールはさらに、
前記第１シーケンスを使用することによって参照信号を生成し、
前記参照信号を使用することによって、受信した前記データを復調する
よう構成される、
請求項１１から２０のうちいずれか一項に記載の装置。
【請求項２２】
無線通信のための方法であって、
ビームのインデックスを示す多入力多出力（ＭＩＭＯ）パラメータ情報に基づいて、第２シーケンスにおける最初の位置を決定する段階と、
初期値および前記最初の位置に基づいて第１シーケンスを取得する段階と、
前記第１シーケンスに基づいてデータをスクランブル処理する段階と、
前記スクランブル処理されたデータを端末デバイスに送信する段階と
を備える
方法。
【請求項２３】
前記初期値はセル識別子と関連付けられる、
請求項２２に記載の方法。
【請求項２４】
前記最初の位置に応じて前記第２シーケンスから前記第１シーケンスを取得する段階をさらに備える、
請求項２２または２３に記載の方法。
【請求項２５】
前記第２シーケンスは、セル識別子および時間ドメインリソースインデックスと関連付けられる、
請求項２２から２４のいずれか一項に記載の方法。
【請求項２６】
前記第１シーケンスは、ｃ（ｎ）であり、ｃ（ｎ）＝ｃ１（ｎ＋ｘ）であり、ｃ１（ｎ）は前記第２シーケンスであり、ｘは前記最初の位置である、
請求項２２から２５のいずれか一項に記載の方法。
【請求項２７】
前記ビームの前記インデックスは、前記第１シーケンスと関連付けられる第１部分と、物理ブロードキャストチャネル（ＰＢＣＨ）において搬送される第２部分とを含む、
請求項２２から２６のうちいずれか一項に記載の方法。
【請求項２８】
前記時間ドメインリソースインデックスは、前記第１シーケンスと関連付けられる第１部分と、物理ブロードキャストチャネル（ＰＢＣＨ）において搬送される第２部分とを含む、
請求項２５に記載の方法。
【請求項２９】
前記時間ドメインリソースインデックスの前記第２部分を含む信号と同期信号とを送信する段階
をさらに備える
請求項２８に記載の方法。
【請求項３０】
前記スクランブル処理されたデータを前記端末デバイスに送信する前記段階は、前記スクランブル処理されたデータをＰＢＣＨにおいて前記端末デバイスに送信する段階である、
請求項２２から２９のうちいずれか一項に記載の方法。
【請求項３１】
前記第１シーケンスを使用することによって参照信号を生成する段階と、
前記参照信号を前記端末デバイスに送信する段階と
をさらに備える
請求項２２から３０のうちいずれか一項に記載の方法。
【請求項３２】
通信装置であって、
ビームのインデックスを示す多入力多出力（ＭＩＭＯ）パラメータ情報に基づいて、第２シーケンスにおける最初の位置を決定するよう構成される手段と、
初期値および前記最初の位置に基づいて第１シーケンスを取得する手段と、
前記第１シーケンスに基づいてデータをスクランブル処理するよう構成される伝送情報生成モジュールと、
前記スクランブル処理されたデータを端末デバイスに送信するよう構成される送信モジュールと
を備える
装置。
【請求項３３】
前記初期値はセル識別子と関連付けられる、
請求項３２に記載の装置。
【請求項３４】
最初の位置に応じて前記第２シーケンスから前記第１シーケンスを取得するよう構成されるシーケンス生成モジュールをさらに備える、
請求項３３に記載の装置。
【請求項３５】
前記第２シーケンスは、セル識別子および時間ドメインリソースインデックスと関連付けられる、
請求項３２から３４のいずれか一項に記載の装置。
【請求項３６】
前記第１シーケンスはｃ（ｎ）であり、ｃ（ｎ）＝ｃ１（ｎ＋ｘ）であり、ｃ１（ｎ）は前記第２シーケンスであり、ｘは前記最初の位置である、
請求項３２から３５のいずれか一項に記載の装置。
【請求項３７】
前記ビームの前記インデックスは、前記第１シーケンスと関連付けられる第１部分と、物理ブロードキャストチャネル（ＰＢＣＨ）において搬送される第２部分とを含む、
請求項３２から３６のうちいずれか一項に記載の装置。
【請求項３８】
前記時間ドメインリソースインデックスは、前記第１シーケンスと関連付けられる第１部分と、物理ブロードキャストチャネル（ＰＢＣＨ）において搬送される第２部分とを含む、
請求項３５に記載の装置。
【請求項３９】
前記送信モジュールはさらに、
前記時間ドメインリソースインデックスの前記第２部分を含む信号と同期信号とを送信するよう構成される、
請求項３８に記載の装置。
【請求項４０】
前記送信モジュールは、前記スクランブル処理されたデータをＰＢＣＨにおいて前記端末デバイスに送信するよう構成される、
請求項３２から３９のうちいずれか一項に記載の装置。
【請求項４１】
前記シーケンス生成モジュールはさらに、
前記第１シーケンスを使用することによって参照信号を生成するよう構成され、
前記送信モジュールはさらに、前記参照信号を前記端末デバイスに送信するよう構成される、
請求項３４に記載の装置。
【請求項４２】
請求項１から１０または請求項２２から３１のうちいずれか一項に記載の方法をコンピュータに実行させるためのプログラム。
【請求項４３】
プログラムを記録したコンピュータ可読記憶媒体であって、前記プログラムは、請求項１から１０または請求項２２から３１のうちいずれか一項に記載の方法をコンピュータに実行させる、
コンピュータ可読記憶媒体。
【請求項４４】
少なくとも１つのメモリおよび少なくとも１つのプロセッサを備える通信デバイスであって、前記少なくとも１つのメモリはコンピュータプログラムを記憶し、前記コンピュータプログラムは、前記少なくとも１つのプロセッサによって実行されると、請求項１から１０または請求項２２から３１のうちいずれか一項に記載の方法を前記通信デバイスに行わせる、
通信デバイス。
【請求項４５】
基地局および端末デバイス
を備える通信システムであって、
前記基地局は前記端末デバイスと通信し、
前記基地局は、請求項２２から３１のうちいずれか一項に記載の方法を実行し、前記端末デバイスは、請求項１から１０のうちいずれか一項に記載の方法を実行する、
通信システム。
【発明の詳細な説明】
【技術分野】
【０００１】
本出願は、２０１７年１月２４日に中国特許庁に出願された、「伝送方法および伝送装置」と題する中国特許出願第ＣＮ２０１７１００５４８１７．０号に基づく優先権を主張し、その全体が参照により本明細書に組み込まれる。
【０００２】
本発明の実施形態は、通信方法および通信技術の分野に関し、特には伝送方法および伝送装置に関する。
【背景技術】
【０００３】
信号伝送プロセスにおいてはデータ伝送信頼性が保証されることが必要である。通信システムにおいて伝送されるデータにエラーが常に生じると、システムの性能または運用性が非常に悪い。しかしながら、例えば無線通信システムといった実際の通信システムでは、チャネルのランダム性および干渉の不確実性のせいでデータ伝送中に頻繁にエラーが生じる。特に、データ伝送の特定の時間にエラーが生じたとき、後続のデータに連続的にエラーが生じる場合がある。安定的で信頼性のある伝送性能を通信システムが取得できるようにするべく、通信システムを設計するときは、どのようにデータ伝送信頼性を向上させるかを複数の側面と複数の観点とから検討して、伝送の各時間において、できる限り干渉をランダム化することができる。特に、システムにおいて伝送が行われるとき、いくつかの重要なパラメータは誤りとはなり得ない。それらの重要なパラメータに誤りがあると、全ての後続の復調中に回復不能なエラーが生じる。
【０００４】
現在３ＧＰＰによって研究されている５Ｇ通信システムの場合、５Ｇシステム全体はＬＴＥシステムに比べてより柔軟で複雑である。伝送プロセスでは、データ伝送に使用される多数のパラメータが、送信機と受信機との間で伝送され、検出される必要がある。通信プロセスにおいて、それらのパラメータのうちのいくつかに誤りがあると、後続の伝送プロセス全体において訂正不可能なエラーが生じる。しかしながら、従来のチャネル符号化／復号メカニズムは、データ伝送プロセスにおいて情報ビットが正しいか否かのチェックはできるが、伝送パラメータのチェックはできない。したがって、多数の伝送パラメータを適時柔軟にチェックするためのメカニズムをさらにサポートすることが特に重要である。
【発明の概要】
【０００５】
本発明の実施形態は、新たな伝送エラーチェックメカニズムを提供するべく、伝送方法および伝送装置を提供する。
【０００６】
第１態様によれば、本発明の実施形態は伝送方法を提供する。当該方法は、第１デバイスが１または複数の伝送パラメータに基づいてシーケンスを生成する段階であって、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、段階と、第１デバイスがシーケンスを使用することによって伝送予定情報を生成する段階と、第１デバイスが伝送予定情報を送信する段階とを備える。
【０００７】
本発明のこの実施形態の解決手段において、第１デバイスがシーケンスを使用することによって伝送予定情報を生成する段階は、第１デバイスがシーケンスを使用することによって伝送予定データをスクランブル処理する段階であって、伝送予定情報は、スクランブル処理された伝送されるデータである、段階、または、第１デバイスがシーケンスを使用することによって参照信号を生成する段階であって、伝送予定情報は、スクランブル処理用参照信号である、段階とを有する。
【０００８】
本発明のこの実施形態の実装例において、１または複数の伝送パラメータはシーケンスの中に導入され、伝送予定情報は、シーケンスを使用することによって生成され、それによって、受信機は、受信した情報が正しいか否かに基づいて、受信した伝送パラメータが正しいか否かを判断する。したがって、１または複数の伝送パラメータをチェックすることができる。
【０００９】
さらに、本発明のこの実施形態の解決手段において、シーケンスが１または複数の伝送パラメータを使用することによって生成されて、データがスクランブル処理されるか、または参照信号が生成される。参照信号、またはシーケンスを使用することによってスクランブル処理されたデータを受信した後、受信機はまずデスクランブル処理を行う。通信プロセスにおいて伝送パラメータが誤推定された場合、現在の受信機のＳＮＲの値に関わらず、受信機は受信したデータパケットに誤りがあると判断し、再送を試み続けるのでも、または再送を行い続けるのでもなく、受信機は前に受信した伝送パラメータが正しいか否かを適時チェックする。それによって、不要な再送および電力消費を低減し、データ伝送エラーの累積または伝播を低減する。
【００１０】
可能な実施形態において、第１デバイスが１または複数の伝送パラメータに基づいてシーケンスを生成する段階は、第１デバイスが１または複数の伝送パラメータのうちの少なくとも１つに基づいてシーケンスの初期値および／またはシーケンスの最初の位置を決定する段階と、シーケンスの初期値および／またはシーケンスの最初の位置に基づいてシーケンスを生成する段階とを有する。
【００１１】
本発明のこの実施形態の実装例において、１または複数の伝送パラメータは、シーケンスの初期値および／または最初の位置の中に導入され、受信機は、同様の方式でシーケンスを生成し、伝送された情報が正しいか否かを生成したシーケンスを使用することによって検証して、１または複数の伝送パラメータをチェックする。
【００１２】
さらに、本発明のこの実施形態の解決手段において、１または複数の伝送パラメータは、シーケンスの初期値および／または最初の位置の中に導入され、それによって、シーケンスの長さを長くすることなく、より多くの伝送パラメータを検証することができる。
【００１３】
可能な実施形態において、１または複数の伝送パラメータは、時間ドメインリソースインデックスおよび／またはセル識別子をさらに含む。
【００１４】
可能な実施形態において、時間ドメインリソースインデックスは、シグナリングによって示される正の整数に基づいて時間ドメインリソースインデックスを決定する方式、システムメッセージ周期または同期信号伝送間隔に基づいて時間ドメインリソースインデックスを決定する方式、サブキャリア間隔に基づいて時間ドメインリソースインデックスを決定する方式、および、予め規定された持続時間内に使用されるサブキャリア間隔におけるスロットの数に基づいて時間ドメインリソースインデックスを決定する方式のうちいずれか１つの方式で決定される。
【００１５】
本発明のこの実施形態の実装例において、第１デバイスは、時間ドメインリソースインデックスに基づいてシーケンスの初期値および／または最初の位置を決定してよく、時間ドメインリソースを再分割し、再分割後に取得した時間ドメインリソースに再付番することによって新たな時間ドメインリソースインデックスを決定してよい。したがって、新たな時間ドメインリソースインデックスを使用することによってシーケンスを決定することができ、これにより、シーケンスを変更することなく、予め設定された長さの時間周波数リソース内のさまざまなサブキャリア間隔におけるスロットパラメータに対するスクランブル処理用シーケンスを生成する際の問題が解決される。
【００１６】
可能な実施形態において、第１デバイスが１または複数の伝送パラメータのうちの少なくとも１つに基づいてシーケンスの初期値および／またはシーケンスの最初の位置を決定する段階は、第１デバイスが、１または複数の伝送パラメータのうちの第１パラメータを使用することによってシーケンスの初期値を生成し、１または複数の伝送パラメータのうちの、第１パラメータとは異なる第２パラメータを使用することによってシーケンスの最初の位置を生成する段階、または、同じ伝送パラメータの異なるビットに基づいてシーケンスの初期値およびシーケンスの最初の位置をそれぞれ決定する段階を含む。
【００１７】
本発明のこの実施形態の解決手段において、シーケンスの初期値の決定に使用される伝送パラメータは、シーケンスの最初の位置の決定に使用される伝送パラメータとは異なっていても、または同じであってもよい。シーケンスの初期値および最初の位置が同じ伝送パラメータを使用することによって決定されるとき、シーケンスの初期値および最初の位置は、同じ伝送パラメータの異なるビットを使用することによってそれぞれ決定されてよい。例えば、同じ伝送パラメータの全てのビットを２つの部分に分割し、一方の部分をシーケンスの初期値の生成に使用し、他方の部分をシーケンスの最初の位置の決定に使用する。したがって、シーケンスの初期値およびシーケンスの最初の位置に関連して伝送パラメータを検証することができる。
【００１８】
可能な実施形態において、第１デバイスがシーケンスを使用することによって伝送予定情報を生成する段階は、第１デバイスが、伝送予定情報の生成に使用されるシーケンスを伝送予定データのサービスタイプパラメータおよび／または受信デバイスの性能タイプに基づいて決定する段階と、第１デバイスが、決定されたシーケンスを使用することによって伝送予定情報を生成する段階とを有する。
【００１９】
本発明のこの実施形態の解決手段において、複数の伝送パラメータまたは複数タイプの伝送パラメータが予め規定されてよく、各伝送パラメータまたは各タイプの伝送パラメータは、異なるサービスタイプおよび／または受信デバイスの異なる性能タイプに対応している。伝送予定情報を生成するとき、第１デバイスは、伝送予定データのサービスタイプパラメータおよび／または受信デバイスの性能タイプに基づいて使用予定シーケンスを決定し、決定されたシーケンスを使用することによって伝送予定情報を生成する。
【００２０】
可能な実施形態において、第１デバイスが１または複数の伝送パラメータに基づいてシーケンスを生成する段階は、第１デバイスが１または複数の伝送パラメータに基づいて複数のサブシーケンスを生成する段階であって、各サブシーケンスは、１または複数の伝送パラメータのうちの全部または一部に基づいて決定される、段階と、第１デバイスが複数のサブシーケンスに基づいてシーケンスを生成する段階であって、シーケンスの長さは、複数のサブシーケンスの長さの和である、段階とを有する。
【００２１】
本発明のこの実施形態の解決手段において、伝送予定情報の生成に使用されるシーケンスは、複数のサブシーケンスに基づいて生成され、各サブシーケンスは、前述の伝送パラメータのうちの１または複数に基づいて決定され、それによって、より多くの伝送パラメータおよび／またはより長い伝送パラメータをシーケンスの中に導入することができる。
【００２２】
可能な実施形態において、第１デバイスが１または複数の伝送パラメータに基づいてシーケンスを生成する段階は、第１デバイスが１または複数の伝送パラメータに基づいて複数のサブシーケンスを生成する段階であって、各サブシーケンスは、１または複数の伝送パラメータのうちの全部または一部に基づいて決定される、段階を有し、それに応じて、第１デバイスがシーケンスを使用することによって伝送予定情報を生成する段階は、第１デバイスが複数のサブシーケンスを使用することによって伝送予定データをスクランブル処理し、および／もしくは、複数のサブシーケンスを使用することによって参照信号を生成する段階を有し、または、複数のサブシーケンスはそれぞれ、異なる時間ドメインリソースにおいて使用される。
【００２３】
本発明のこの実施形態の解決手段において、第１デバイスは、１または複数の伝送パラメータに基づいて複数のサブシーケンスを生成し、第１デバイスは、複数のサブシーケンスを使用することによってデータをスクランブル処理し、および／または複数のサブシーケンスを使用することによって参照信号を生成することができる。
【００２４】
可能な実施形態において、第１デバイスはさらに、同期信号と共に送信される制御情報（例えば、物理ブロードキャストチャネルＰＢＣＨにおける情報）内のデータをスクランブル処理すること、例えば、スロット番号またはシンボル番号に関連するパラメータを使用することによって、同期信号と共に送信される制御情報をスクランブル処理することができる。
【００２５】
第２態様によれば、本発明の実施形態は伝送方法を提供する。当該方法は、第１デバイスが、シーケンスの生成に使用される最初の位置を１または複数の伝送パラメータに基づいて決定する段階であって、１または複数の伝送パラメータは定数ではない、段階と、第１デバイスがシーケンスを使用することによって伝送予定情報を生成する段階と、第１デバイスが伝送予定情報を送信する段階とを備える。
【００２６】
本発明のこの実施形態の実装例において、１または複数の伝送パラメータは、シーケンスの最初の位置の中に導入され、伝送予定情報は、シーケンスを使用することによって生成され、それによって、シーケンスの長さを変更することなく、より多くの伝送パラメータおよび／またはより長い伝送パラメータをシーケンスの中に導入することができる。受信機は、受信した情報が正しいか否かに基づいて、受信した伝送パラメータが正しいか否かを決定し、それによって、１または複数の伝送パラメータをチェックすることができる。
【００２７】
可能な実施形態において、１または複数の伝送パラメータは、時間ドメインリソースインデックス、時間ドメインリソースタイプ、伝送波形指示情報、サブキャリア間隔指示情報、デバイスタイプ情報、サービスタイプ指示情報、ＭＩＭＯパラメータ情報、デュプレックスモード指示情報、制御チャネルフォーマット指示情報、セル識別子、および伝送キャリア指示情報のうち少なくとも１つを含む。
【００２８】
可能な実施形態において、当該方法は、第１デバイスが１または複数の伝送パラメータに基づいてシーケンスの初期値を決定する段階をさらに備える。
【００２９】
本発明のこの実施形態の実装例において、１または複数の伝送パラメータは、シーケンスの初期値および最初の位置の中に導入され、受信機は、同様の方式でシーケンスを生成し、伝送された情報が正しいか否かを生成したシーケンスを使用することによって検証して、１または複数の伝送パラメータをチェックする。
【００３０】
さらに、本発明のこの実施形態の解決手段において、１または複数の伝送パラメータは、シーケンスの初期値および／または最初の位置の中に導入され、それによって、より多くの伝送パラメータを検証することができる。
【００３１】
可能な実施形態において、シーケンスの初期値の決定に使用される伝送パラメータは、シーケンスの最初の位置の決定に使用される伝送パラメータとは異なり、または、シーケンスの初期値およびシーケンスの最初の位置は、同じ伝送パラメータの異なるビットに基づいてそれぞれ決定される。
【００３２】
本発明のこの実施形態の解決手段において、シーケンスの初期値の決定に使用される伝送パラメータは、シーケンスの最初の位置の決定に使用される伝送パラメータとは異なっていても、または同じであってもよい。シーケンスの初期値および最初の位置が同じ伝送パラメータを使用することによって決定されるとき、シーケンスの初期値および最初の位置は、同じ伝送パラメータの異なるビットを使用することによってそれぞれ決定されてよい。例えば、同じ伝送パラメータの全てのビットを２つの部分に分割し、一方の部分をシーケンスの初期値の生成に使用し、他方の部分をシーケンスの最初の位置の決定に使用する。したがって、シーケンスの初期値およびシーケンスの最初の位置に関連して伝送パラメータを検証することができる。
【００３３】
可能な実施形態において、時間ドメインリソースインデックスは、パラメータＭに基づいて決定される。ここで、パラメータＭは、パラメータＭは予め規定された正の整数とする方式、パラメータＭはシグナリングによって示される正の整数とする方式、パラメータＭは、システムメッセージ周期もしくは同期信号伝送間隔に基づいて決定される方式、パラメータＭは、サブキャリア間隔に基づいて決定される方式、または、パラメータＭは、予め規定された持続時間内に使用されるサブキャリア間隔におけるスロット数に基づく方式のうちいずれか１つの方式で決定される。
【００３４】
本発明のこの実施形態の実装例において、第１デバイスは、時間ドメインインデックスに基づいてシーケンスの初期値および／または最初の位置を決定してよく、時間ドメインリソースを再分割し、再分割後に取得した時間ドメインリソースに再付番することによって新たな時間ドメインリソースインデックスを決定してよい。したがって、新たな時間ドメインリソースインデックスを使用することによってシーケンスを決定することができ、これにより、シーケンスを変更することなく、予め設定された長さの時間周波数リソース内のさまざまなサブキャリア間隔におけるスロットパラメータに対するスクランブル処理用シーケンスを生成する際の問題が解決される。
【００３５】
可能な実施形態において、シーケンスは、複数のサブシーケンスに基づいて決定される。ここで、各サブシーケンスは、１または複数の伝送パラメータのうちの全部または一部に基づいて決定され、シーケンスの長さは、複数のサブシーケンスの長さの和である。
【００３６】
本発明のこの実施形態の解決手段において、伝送予定情報の生成に使用されるシーケンスは、複数のサブシーケンスに基づいて生成され、各サブシーケンスは、前述の伝送パラメータのうちの１または複数に基づいて決定され、それによって、より多くの伝送パラメータおよび／またはより長い伝送パラメータをシーケンスの中に導入することができる。
【００３７】
可能な実施形態において、シーケンスは複数のサブシーケンスを含み、ここで、各サブシーケンスは、１または複数の伝送パラメータの全部または一部に基づいて決定され、それに応じて、第１デバイスがシーケンスを使用することによって伝送予定情報を生成する段階は、第１デバイスが複数のサブシーケンスを使用することによって伝送予定データをスクランブル処理し、および／もしくは、複数のサブシーケンスを使用することによって参照信号を生成する段階を有し、または、複数のサブシーケンスはそれぞれ、異なる時間ドメインリソースにおいて使用される。
【００３８】
本発明のこの実施形態の解決手段において、第１デバイスは、１または複数の伝送パラメータに基づいて複数のサブシーケンスを生成し、第１デバイスは、複数のサブシーケンスを使用することによってデータをスクランブル処理し、および／または、複数のサブシーケンスを使用することによって参照信号を生成することができる。
【００３９】
可能な実施形態において、第１デバイスがシーケンスを使用することによって伝送予定情報を生成する段階は、第１デバイスが、伝送予定情報の生成に使用されるシーケンスを伝送予定データのサービスタイプパラメータおよび／または受信デバイスの性能タイプに基づいて決定する段階と、第１デバイスが、決定されたシーケンスを使用することによって伝送予定情報を生成する段階とを有する。
【００４０】
本発明のこの実施形態の解決手段において、複数の伝送パラメータまたは複数タイプの伝送パラメータが予め規定されてよく、各伝送パラメータまたは各タイプの伝送パラメータは、異なるサービスタイプおよび／または受信デバイスの異なる性能タイプに対応していてよい。伝送予定情報を生成するとき、第１デバイスは、伝送予定データのサービスタイプパラメータおよび／または受信デバイスの性能タイプに基づいて使用予定シーケンスを決定し、決定されたシーケンスを使用することによって伝送予定情報を生成する。
【００４１】
第３態様によれば、本発明の実施形態は伝送方法を提供する。当該方法は、第２デバイスが、第１デバイスが送信した情報を受信する段階と、第２デバイスがシーケンスを使用することによって、受信した情報を復調する段階であって、シーケンスは、１または複数の伝送パラメータに基づいて決定され、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、段階とを備える。
【００４２】
本発明のこの実施形態の実装例において、１または複数の伝送パラメータは、シーケンスの中に導入され、伝送予定情報は、シーケンスを使用することによって生成され、それによって、（第２デバイスに対応する）受信機は、受信した情報が正しいか否かに基づいて、受信した伝送パラメータが正しいか否かを判断する。したがって、１または複数の伝送パラメータをチェックすることができる。
【００４３】
さらに、本発明のこの実施形態の解決手段において、シーケンスが１または複数の伝送パラメータを使用することによって生成されて、データがスクランブル処理されるか、または参照信号が生成される。参照信号、またはシーケンスを使用することによってスクランブル処理されたデータを受信した後、受信機はまずデスクランブル処理を行う。通信プロセスにおいて伝送パラメータが誤推定された場合、現在の受信機のＳＮＲの値に関わらず、受信機は受信したデータパケットに誤りがあると判断し、再送を試み続けるのでも、または再送を行い続けるのでもなく、受信機は前に受信した伝送パラメータが正しいか否かを適時にチェックする。それによって、不要な再送および電力消費を低減し、データ伝送エラーの累積または伝播を低減する。
【００４４】
可能な実施形態において、当該方法は、第２デバイスが１または複数の伝送パラメータのうちの少なくとも１つに基づいてシーケンスの初期値および／またはシーケンスの最初の位置を決定する段階と、シーケンスの初期値および／またはシーケンスの最初の位置に基づいてシーケンスを生成する段階とをさらに備える。
【００４５】
可能な実施形態において、１または複数の伝送パラメータは、時間ドメインリソースインデックスおよび／またはセル識別子をさらに含む。
【００４６】
可能な実施形態において、時間ドメインリソースインデックスは、シグナリングによって示される正の整数に基づいて時間ドメインリソースインデックスを決定する方式、システムメッセージ周期または同期信号伝送間隔に基づいて時間ドメインリソースインデックスを決定する方式、サブキャリア間隔に基づいて時間ドメインリソースインデックスを決定する方式、および、予め規定された持続時間内に使用されるサブキャリア間隔におけるスロットの数に基づいて時間ドメインリソースインデックスを決定する方式のうちいずれか１つの方式で決定される。
【００４７】
可能な実施形態において、第２デバイスが１または複数の伝送パラメータのうちの少なくとも１つに基づいてシーケンスの初期値および／またはシーケンスの最初の位置を決定する段階は、第２デバイスが、１または複数の伝送パラメータのうちの第１パラメータを使用することによってシーケンスの初期値を生成し、１または複数の伝送パラメータのうちの、第１パラメータとは異なる第２パラメータを使用することによってシーケンスの最初の位置を生成する段階、または、同じ伝送パラメータの異なるビットに基づいてシーケンスの初期値およびシーケンスの最初の位置をそれぞれ決定する段階を有する。
【００４８】
可能な実施形態において、第２デバイスがシーケンスを使用することによって、受信した情報を復調する段階は、第２デバイスが伝送されたデータのサービスタイプパラメータおよび／または受信デバイスの性能タイプに基づいて、受信した情報の復調に使用されるシーケンスを決定する段階と、第２デバイスが決定されたシーケンスを使用することによって受信した情報を復調する段階とを有する。
【００４９】
可能な実施形態において、シーケンスが１または複数の伝送パラメータに基づいて決定されることは、シーケンスが複数のサブシーケンスに基づいて決定されることを含み、ここで、各サブシーケンスは、１または複数の伝送パラメータのうちの全部または一部に基づいて決定され、シーケンスの長さは、複数のサブシーケンスの長さの和である。
【００５０】
可能な実施形態において、シーケンスが１または複数の伝送パラメータに基づいて決定されることは、シーケンスが複数のサブシーケンスを含むことを含み、ここで、各サブシーケンスは、１または複数の伝送パラメータのうちの全部または一部に基づいて決定され、それに応じて、第２デバイスがシーケンスを使用することによって、受信した情報を復調する段階は、第２デバイスが複数のサブシーケンスを使用することによって、受信した情報を復調する段階を有し、または、複数のサブシーケンスはそれぞれ、異なる時間ドメインリソースにおいて使用される。
【００５１】
第４態様によれば、本発明の実施形態は伝送方法を提供する。当該方法は、第２デバイスが、第１デバイスが送信した情報を受信する段階と、第２デバイスがシーケンスを使用することによって、受信した情報を復調する段階であって、シーケンスの最初の位置は、１または複数の伝送パラメータに基づいて決定され、１または複数の伝送パラメータは定数ではない、段階とを備える。
【００５２】
本発明のこの実施形態の実装例において、１または複数の伝送パラメータは、シーケンスの最初の位置の中に導入され、伝送予定情報は、シーケンスを使用することによって生成され、それによって、シーケンスの長さを変更することなくシーケンスの中により多くの伝送パラメータおよび／またはより長い伝送パラメータを導入することができる。受信機（これは第２デバイスに対応する）は、受信した情報が正しいか否かに基づいて、受信した伝送パラメータが正しいか否かを決定し、それによって、１または複数の伝送パラメータをチェックすることができる。
【００５３】
可能な実施形態において、１または複数の伝送パラメータは、時間ドメインリソースインデックス、時間ドメインリソースタイプ、伝送波形指示情報、サブキャリア間隔指示情報、デバイスタイプ情報、サービスタイプ指示情報、ＭＩＭＯパラメータ情報、デュプレックスモード指示情報、制御チャネルフォーマット指示情報、セル識別子、および伝送キャリア指示情報のうち少なくとも１つを含む。
【００５４】
可能な実施形態において、シーケンスの最初の位置は、１または複数の伝送パラメータに基づいて決定される。
【００５５】
可能な実施形態において、シーケンスの初期値の決定に使用される伝送パラメータは、シーケンスの最初の位置の決定に使用される伝送パラメータとは異なり、または、シーケンスの初期値およびシーケンスの最初の位置は、同じ伝送パラメータの異なるビットに基づいてそれぞれ決定される。
【００５６】
可能な実施形態において、時間ドメインリソースインデックスは、パラメータＭに基づいて決定される。ここで、パラメータＭは、パラメータＭは予め規定された正の整数とする方式、パラメータＭはシグナリングによって示される方式、パラメータＭは、システムメッセージ周期もしくは同期信号伝送間隔に基づいて決定される方式、パラメータＭは、サブキャリア間隔に基づいて決定される方式、または、パラメータＭは、予め規定された持続時間内に使用されるサブキャリア間隔におけるスロット数に基づいて決定される方式のうちいずれか１つの方式で決定される。
【００５７】
可能な実施形態において、シーケンスは、複数のサブシーケンスに基づいて決定される。ここで、各サブシーケンスは、１または複数の伝送パラメータのうちの全部または一部に基づいて決定され、シーケンスの長さは、複数のサブシーケンスの長さの和である。
【００５８】
可能な実施形態において、シーケンスは複数のサブシーケンスを含み、ここで、各サブシーケンスは、１または複数の伝送パラメータのうちの全部または一部に基づいて決定され、それに応じて、第２デバイスがシーケンスを使用することによって、受信した情報を復調する段階は、第２デバイスが、複数のサブシーケンスを使用することによって、受信した情報を復調する段階を有し、または、複数のサブシーケンスはそれぞれ、異なる時間ドメインリソースにおいて使用される。
【００５９】
可能な実施形態において、第２デバイスがシーケンスを使用することによって、受信した情報を復調する段階は、第２デバイスが、伝送されたデータのサービスタイプパラメータおよび／または受信デバイスの性能タイプに基づいて、受信した情報の復調に使用されるシーケンスを決定する段階と、決定されたシーケンスを使用することによって受信した情報を復調する段階とを有する。
【００６０】
第５態様によれば、第１態様の伝送方法を実施するべく、本発明の実施形態は伝送装置を提供する。伝送装置は、伝送方法における第１デバイスの動作を実装する機能を有する。当該機能は、ハードウェアによって実装されてよく、または、対応するソフトウェアを実行することによりハードウェアによって実装されてよい。ハードウェアまたはソフトウェアは、当該機能に対応する１または複数のモジュールを含む。
【００６１】
可能な実施形態において、当該装置は、１または複数の伝送パラメータに基づいてシーケンスを生成するよう構成されるシーケンス生成モジュールであって、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、シーケンス生成モジュールと、シーケンスを使用することによって伝送予定情報を生成するよう構成される伝送情報生成モジュールと、伝送予定情報を送信するよう構成される送信モジュールとを備える。
【００６２】
本発明のこの実施形態の解決手段において、シーケンス生成モジュール、伝送情報生成モジュール、および送信モジュールはさらに、第１態様の実施形態の中の関連する実施形態における可能な段階を行うよう構成される。具体的な内容については、第１態様の実施形態を参照されたい。
【００６３】
別の可能な実施形態において、当該装置は、プロセッサおよび送受信機を備える。プロセッサは、シーケンス生成モジュールおよび伝送情報生成モジュールの機能を実装するよう構成され、送受信機は、送信モジュールの機能を実装するよう構成される。
【００６４】
第６態様によれば、第２態様の伝送方法を実施するべく、本発明の実施形態は、伝送装置を提供する。伝送装置は、伝送方法における第１デバイスの動作を実装する機能を有する。当該機能は、ハードウェアによって実装されてよく、または、対応するソフトウェアを実行することによりハードウェアによって実装されてよい。ハードウェアまたはソフトウェアは、当該機能に対応する１または複数のモジュールを含む。
【００６５】
可能な実施形態において、伝送装置は、シーケンスの生成に使用される最初の位置を１または複数の伝送パラメータに基づいて決定するよう構成される第１生成モジュールであって、１または複数の伝送パラメータは定数ではない、第１生成モジュールと、シーケンスを使用することによって伝送予定情報を生成するよう構成される第２生成モジュールと、伝送予定情報を送信するよう構成される送信モジュールとを備える。
【００６６】
本発明のこの実施形態の解決手段において、第１生成モジュール、第２生成モジュール、および送信モジュールはさらに、第２態様の実施形態の中の関連する実施形態における可能な段階を行うよう構成される。具体的な内容については、第２態様の実施形態を参照されたい。
【００６７】
別の可能な実施形態において、当該装置は、プロセッサおよび送受信機を備える。プロセッサは、第１生成モジュールおよび第２生成モジュールの機能を実装するよう構成され、送受信機は、送信モジュールの機能を実装するよう構成される。
【００６８】
第７態様によれば、第３態様の伝送方法を実施するべく、本発明の実施形態は、伝送装置を提供する。伝送装置は、伝送方法における第２デバイスの動作を実装する機能を有する。当該機能は、ハードウェアによって実装されてよく、または、対応するソフトウェアを実行することによりハードウェアによって実装されてよい。ハードウェアまたはソフトウェアは、当該機能に対応する１または複数のモジュールを含む。
【００６９】
可能な実施形態において、当該装置は、第１デバイスが送信した情報を受信するよう構成される受信モジュールと、シーケンスを使用することによって、受信した情報を復調するよう構成される復調処理モジュールであって、シーケンスは、１または複数の伝送パラメータに基づいて決定され、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、復調処理モジュールとを備える。
【００７０】
本発明のこの実施形態の解決手段において、受信モジュールおよび復調処理モジュールはさらに、第３態様の実施形態の中の関連する実施形態における可能な段階を行うよう構成される。具体的な内容については、第３態様の実施形態を参照されたい。
【００７１】
別の可能な実施形態において、当該装置は、プロセッサおよび送受信機を含む。プロセッサは、復調処理モジュールの機能を実装するよう構成され、送受信機は、受信モジュールの機能を実装するよう構成される。
【００７２】
第８態様によれば、第４態様の伝送方法を実施するべく、本発明の実施形態は伝送装置を提供する。伝送装置は、伝送方法における第２デバイスの動作を実装する機能を有する。当該機能は、ハードウェアによって実装されてよく、または、対応するソフトウェアを実行することによりハードウェアによって実装されてよい。ハードウェアまたはソフトウェアは、当該機能に対応する１または複数のモジュールを含む。
【００７３】
可能な実施形態において、当該伝送装置は、第１デバイスが送信した情報を受信するよう構成される受信モジュールと、シーケンスを使用することによって、受信した情報を復調するよう構成される処理モジュールであって、シーケンスの最初の位置は、１または複数の伝送パラメータに基づいて決定され、１または複数の伝送パラメータは定数ではない、処理モジュールとを備える。
【００７４】
本発明のこの実施形態の解決手段において、受信モジュールおよび処理モジュールはさらに、第４態様の実施形態の中の関連する実施形態における可能な段階を行うよう構成される。具体的な内容については、第４態様の実施形態を参照されたい。
【００７５】
別の可能な実施形態において、当該装置は、プロセッサおよび送受信機を備える。プロセッサは、処理モジュールの機能を実装するよう構成され、送受信機は、受信モジュールの機能を実装するよう構成される。
【００７６】
第９態様によれば、本発明の実施形態は、前述の伝送装置によって使用されるコンピュータソフトウェア命令を記憶するよう構成されるコンピュータ記憶媒体を提供する。当該コンピュータ記憶媒体は、伝送装置に対応する伝送方法の実行に使用されるプログラムを含む。
【００７７】
本発明の実施形態の伝送解決手段においては、新たな伝送エラーチェックメカニズムが提供されており、それによって、伝送パラメータをチェックすることができる。
【図面の簡単な説明】
【００７８】
【図１】本出願に係る可能な適用シナリオの概略図である。
【００７９】
【図２】本出願に係る別の可能な適用シナリオの概略図である。
【００８０】
【図３】本出願の実施形態に係る伝送方法のフローチャートである。
【００８１】
【図４】本出願の別の実施形態に係る伝送方法のフローチャートである。
【００８２】
【図５】従来技術におけるスクランブル処理用シーケンスの占有ビットの概略図である。
【００８３】
【図６】本出願の実施形態に係る伝送方法で使用されるシーケンス決定方法のフローチャートである。
【００８４】
【図７】本出願の実施形態に係る時間ドメインリソースの再分割の概略図である。
【００８５】
【図８】さまざまなサブキャリア間隔におけるスロットの数の概略図である。
【００８６】
【図９】本出願の実施形態に係る時間ドメインリソースの再分割および付番の概略図である。
【００８７】
【図１０】本出願の実施形態に係るスロットリソースへの付番の概略図である。
【００８８】
【図１１】本出願に係る伝送装置の概略構造図である。
【００８９】
【図１２】本出願に係る別の伝送装置の概略構造図である。
【００９０】
【図１３】本出願に係るさらに別の伝送装置の概略構造図である。
【００９１】
【図１４】本出願に係るさらに別の伝送装置の概略構造図である。
【００９２】
【図１５】本出願に係るアクセスデバイスの概略構造図である。
【００９３】
【図１６】本出願に係る端末デバイスの概略構造図である。
【発明を実施するための形態】
【００９４】
図１は、本出願に係る可能な適用シナリオの概略図である。図１に示すように、（ＵＥ１およびＵＥ２などの）端末デバイスは、（ｅＮＢなどの）アクセスデバイスに接続され、端末デバイス間のデータ通信は、アクセスデバイスによって行われる転送を必要とする。端末デバイスがデータをアクセスデバイスに送信する無線リンクは、アップリンク（ｕｐｌｉｎｋ、ＵＬ）と称され、アクセスデバイスがデータを端末デバイスに送信する無線リンクは、ダウンリンク（ｄｏｗｎｌｉｎｋ、ＤＬ）と称される。
【００９５】
図２は、本出願に係る別の可能な適用シナリオの概略図である。図２に示すように、当該シナリオは複数の端末デバイスを含み、データ伝送および情報交換は、デバイスツーデバイス（ｄｅｖｉｃｅ−ｔｏ−ｄｅｖｉｃｅ、Ｄ２Ｄ）直接通信技術を使用することによって複数の端末デバイス（例えばＵＥ１およびＵＥ２）の間で行われる。図２に示すシナリオでは、当該端末デバイス間で直接データ通信が行われるリンクは、直接リンクまたはサイドリンク（Ｓｉｄｅｌｉｎｋ、ＳＬ）と称される。Ｄ２Ｄ通信中は、互いに通信し合う２つのデバイスは、同一のタイプの任意の伝送ノードまたは端末デバイスであってよい。このことは、本発明の実施形態において限定されない。
【００９６】
本発明の実施形態に関与する端末デバイスは、無線通信機能を備えた様々なハンドヘルドデバイス、車載デバイス、ウェアラブルデバイス、もしくはコンピューティングデバイス、または、無線モデムに接続された他の処理デバイスを含んでよく、様々な形態のユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、端末（ｔｅｒｍｉｎａｌ）、および端末デバイス（ｔｅｒｍｉｎａｌ  ｄｅｖｉｃｅ）などを含んでよい。本発明に関与するアクセスデバイスは、基地局であってよい。基地局は、ＵＥに無線通信機能を提供するよう無線アクセスネットワークに配置された装置である。基地局は、様々な形態のマクロ基地局、マイクロ基地局、中継局、およびアクセスポイントなどを含んでよい。基地局機能を備えたデバイスは、異なる無線アクセス技術を使用するシステムにおいては異なる名称を有してよい。例えば、基地局機能を備えたデバイスは、ＬＴＥネットワークでは発展型ノードＢ（ｅｖｏｌｖｅｄ  ＮｏｄｅＢ、ｅＮＢもしくはｅＮｏｄｅＢ）と称され、第３世代３ＧネットワークではノードＢ（ＮｏｄｅＢ）と称され、または、５Ｇネットワークでは次世代ノードＢもしくはＧｂｉｔノードＢ、略してｇＮＢ、と称される。説明を簡単にするために、本出願では、ＵＥに無線通信機能を提供する前述の装置は、まとめて基地局またはＢＳと呼ぶ。
【００９７】
図１および図２に示すシナリオに基づいて、本発明の実施形態は伝送方法を提供する。本発明の実施形態の伝送方法は、図１に示す、アクセスデバイスによって行われる転送を必要とする通信シナリオに適用されてよく、図２に示す直接通信シナリオにも適用されてよい。別の観点から、本発明の実施形態の伝送方法は、図１および図２に示すシナリオのアップリンク通信プロセスに適用されてよく、図１および図２に示す通信シナリオのダウンリンク通信プロセスにも適用されてよい。説明を簡単にするために、通信プロセスにおいて、送信端として使用されるデバイスを第１デバイスと呼び、受信端として使用されるデバイスを第２デバイスと呼ぶ。
【００９８】
図１および図２に示すシステムの通信プロセスでは、システムの干渉防止性能を向上させるべく、伝送情報がスクランブル処理される。例えば、シーケンスを使用することによって伝送データがスクランブル処理され、または、シーケンスを使用することによって参照信号が生成される。伝送情報は、スクランブル処理された後に送信される。従来技術では、伝送情報のスクランブル処理に使用されるシーケンスは、予め規定された既知のシーケンスであり、従来技術の通信方法には、伝送パラメータチェックメカニズムがない。伝送パラメータチェック手順が別個に設定される場合、通信の複雑さが増す。
【００９９】
伝送パラメータをチェックするべく、本発明の実施形態の伝送方法では、伝送情報のスクランブル処理に使用されるシーケンスは、伝送パラメータに基づいて決定される。情報を受信した後、受信機はまず、伝送パラメータに基づいて対応するシーケンスを生成し、次に、当該シーケンスを使用することによってデスクランブル処理または受信検出を行う。通信プロセスにおいて伝送パラメータが誤推定された場合、現在の受信機の信号対雑音比（Ｓｉｇｎａｌ−ｔｏ−Ｎｏｉｓｅ  Ｒａｔｉｏ、ＳＮＲ）の値に関わらず、受信機は受信したデータパケットに誤りがあると判断する。受信ＳＮＲが比較的高く、復号エラーが生じたとき、再送を試み続けるのでも、または再送を行い続けるのでもなく、受信機は、データ（または変更された伝送予定情報）のスクランブル処理に使用された受信した伝送パラメータが正しいか否かを適時にチェックし、それによって、不要な再送および電力消費を低減し、データ伝送エラーの累積または伝播を低減する。さらに、本発明の実施形態の方法では、多数の伝送パラメータを同時にチェックすることができ、システムの柔軟性およびロバスト性が向上する。
【０１００】
本発明の実装例の解決手段において、シーケンスは、少なくとも１つの伝送パラメータに基づいてシーケンスの初期値を決定し、シーケンスの初期値と対応する生成多項式とに基づいてシーケンスｃ１（ｎ）を生成し、少なくとも１つの伝送パラメータに基づいてシーケンスの最初の位置を決定し、シーケンスｃ１（ｎ）から、当該シーケンスの最初の位置を始点として、スクランブル処理予定データまたは伝送予定参照信号の長さを有するシーケンスを抽出する、言い換えれば、本発明の実施形態の第１シーケンスｃ（ｎ）を取得する、という方式で生成される。本発明の実施形態において、シーケンスの初期値とは、シーケンスの生成に使用される最初のパラメータである。例えば、シフトレジスタを使用することによって生成されたシーケンス、例えば、ｍシーケンスまたはＧｏｌｄシーケンス、の場合、シーケンスの初期値は、シーケンスの１または複数のサブシーケンスを生成するための、シフトレジスタの初期化された値である。
【０１０１】
本発明の実施形態において、シーケンスの最初の位置とは、シーケンス読み出しの開始位置である。一例に関連して、以下でさらなる説明を提供する。例えば、シーケンス生成用の初期値に基づいてシーケンスｃ１（ｎ）、０≦ｎ≦Ｌ−１が生成される。式中、Ｌはシーケンスｃ１（ｎ）の長さであり、Ｌ値は通常、使用予定シーケンスの長さより大きい。例えば、長さ３１ビットのＧｏｌｄシーケンスの場合、Ｌ値は（２３１−１）であるが、実際の使用予定シーケンスの長さは通常は１０，０００を超えない。したがって、どのようにして元の非常に長いシーケンスｃ１（ｎ）から使用予定シーケンスｃを抽出するかを決定する必要がある。例えば、使用予定シーケンスをｃ（ｎ）＝ｃ１（ｎ＋ａ）と規定できる。式中、０≦ｎ≦Ｍ−１であり、Ｍは、使用予定シーケンスの長さである。式中の定数ａは、本発明において言及されている、シーケンス生成のための最初の位置である。
【０１０２】
本発明の実施形態の解決手段では、伝送パラメータに基づいてシーケンスを生成する段階は、以下の場合のうち少なくとも１つを含んでよい。
【０１０３】
（１）少なくとも１つの伝送パラメータにしたがって、伝送予定の情報を決定するためのシーケンスを生成する。具体的には、生成されたシーケンスは、１つのシーケンスであってよく、または複数のサブシーケンスであってよい。
【０１０４】
例えば、生成されたシーケンスが１つのシーケンスである場合では、伝送パラメータＡにしたがって第１シーケンスの初期値を生成し、ここで、第１シーケンスの最初の位置は定数であり、また、第１シーケンスの初期値および第１シーケンスの最初の位置に基づいて第１シーケンスを決定する。
【０１０５】
複数のサブシーケンスが生成される場合では、各サブシーケンスを生成するための方法は、第１シーケンスを生成するための前述の方法と同じだが、各サブシーケンスの生成に使用される伝送パラメータは、第１シーケンスの生成に使用される伝送パラメータとは異なっていてよい。任意選択的に、複数のサブシーケンスが生成された後、複数のサブシーケンスに基づいて伝送予定情報が決定されてよい。任意選択的に、複数のサブシーケンスに基づいて１つのシーケンスが生成されてよく、ここで、生成されたシーケンスの長さは、複数のサブシーケンスの長さの和であり、また、伝送予定情報は、生成されたシーケンスを使用することによって決定される。
【０１０６】
（２）少なくとも１つの伝送パラメータに基づいて目標シーケンスが生成される。生成された目標シーケンスは、最終的な使用予定シーケンスの初期値と関連付けられる。目標シーケンスの長さは、使用予定シーケンスの長さより長く、または、目標シーケンスは周期的なシーケンスである。本発明の実施形態の解決手段において、最終的な使用予定シーケンスは目標シーケンスから抽出され、最初の抽出位置は、最終的な使用予定シーケンスの最初の位置に対応している。本発明の実施形態の解決手段において、目標シーケンスから抽出された最終的な使用予定シーケンスは１つのシーケンスであってよく、または、複数のサブシーケンスであってよい。任意選択的に、複数のサブシーケンスが抽出されるとき、複数のサブシーケンスに基づいて伝送予定情報が決定されてよい。任意選択的に、抽出された複数のサブシーケンスに基づいて１つのシーケンスが生成されてよく、生成されたシーケンスの長さは、複数のサブシーケンスの長さの和であり、また、伝送予定情報は、生成されたシーケンスを使用することによって決定されてよい。
【０１０７】
本発明の実施形態において、使用予定シーケンスの初期値および／または使用予定シーケンスの最初の位置は、伝送パラメータに基づいて決定され、任意選択的な伝送パラメータは、限定されないが、次のうちの１または複数を含む。
【０１０８】
（１）アップリンク／ダウンリンク指示情報
【０１０９】
アップリンク／ダウンリンク指示情報は、現在の伝送がアップリンク伝送なのか、またはダウンリンク伝送なのかを示すために使用される。例えば、アップリンク／ダウンリンク情報を示すのに１ビットが使用される。例えば、１はダウンリンクを示し、０はアップリンクを示す。任意選択的に、アップリンク／ダウンリンク指示情報は、アップリンク伝送とダウンリンク伝送とに同じ波形が使用されるシナリオ、例えば、アップリンク伝送およびダウンリンク伝送の両方にＯＦＤＭ波形が使用されるシナリオ、で使用されてよく、または、アップリンク伝送とダウンリンク伝送とに異なる波形が使用されるシナリオ、例えば、ダウンリンク伝送にＯＦＤＭ波形が使用され、アップリンク伝送に非ＯＦＤＭ波形が使用されるシナリオ、で使用されてよい。
【０１１０】
シーケンス生成に使用される伝送パラメータがアップリンク／ダウンリンク指示情報であるとき、アップリンクとダウンリンクとが１つのキャリア上にあるＴＤＤシステムにおいては特に、検出された現在のリンクがアップリンクなのか、またはダウンリンクなのかをチェックすることができる。したがって、前段階でパラメータが正しく検出されたか否かを適時に知ることができる。
【０１１１】
（２）伝送中に使用される波形に関する情報
【０１１２】
伝送中に使用される波形に関する情報は、伝送中に使用される具体的な波形を示すために使用される。波形は、ＯＦＤＭ波形またはＳＣ−ＦＤＭ波形を含む。本明細書では、伝送中に使用される波形に関する情報を示すのに１ビットが使用されてよい。例えば、１は、伝送中に使用されるＯＦＤＭ波形を示し、０は、伝送中に使用されるＳＣ−ＦＤＭ波形を示す。
【０１１３】
あるいは、別の任意選択的な方式において、波形情報は、マルチキャリア波形およびシングルキャリア波形を含む。同様に、伝送中に使用される波形に関する情報を示すのに１ビットが使用されてよい。例えば、１は、伝送中に使用されるＯＦＤＭ波形を示し、０は、伝送中に使用されるシングルキャリア波形を示す。
【０１１４】
シーケンス生成に使用される伝送パラメータが伝送中に使用される波形に関する情報であるとき、現在のリンクに使用される波形に関する情報を検出することができる。例えば、ＯＦＤＭおよびＳＣ−ＦＤＭの両方をアップリンク上で使用できる。受信機によって検出される波形が誤判断された場合、後続の復調中にエラーが連続的に生じる。したがって、前段階でパラメータが正しく検出されたか否かを適時に知ることができる。
【０１１５】
（３）ＭＩＭＯパラメータ情報
【０１１６】
ＭＩＭＯモード指示情報は、現在の伝送中に使用されるＭＩＭＯモードを示す。ＭＩＭＯモードは、空間多重化モードまたはビームフォーミングモードであってよい。あるいは、ＭＩＭＯモードは、空間多重化モードまたはダイバーシチモードであってよい。例えば、ＭＩＭＯモード指示情報を示すのに１ビットが使用され、ここで、１は空間多重化を示し、０は送信ダイバーシチを示す。任意選択的に、多重化は、シングルストリーム多重化であってよく、またはマルチストリーム多重化であってよい。
【０１１７】
任意選択的に、ＭＩＭＯパラメータ情報は、ビームタイプまたはビーム識別子を示すために使用されてよい。ビームタイプは、アナログビーム、またはコードブックもしくはコードワードに基づいて生成されるビームであってよい。あるいは、ビームタイプは、動的ビーム、または静的ビームもしくは半静的ビームであってよい。動的ビームは、時間および周波数と共に比較的迅速に変化し得るので、時間リソースまたは周波数リソースにおいてビームのスキャンおよびトラッキングを実装することができる。ビームを示すための識別子は、現在のデバイスが送信または受信するビームを示すための番号またはインデックスである。
【０１１８】
シーケンス生成に使用される伝送パラメータがＭＩＭＯパラメータ情報であるとき、現在のリンクのＭＩＭＯのパラメータまたはモードを検出することができる。特に、高周波数では、現在検出されたビームの識別子をさらに確認することができる。検出されたビームの識別子が実際の通信におけるビームの識別子と一致しない場合、通信中にエラーを引き起こしはしないが、受信ＳＮＲが大幅に減少して、通信品質に影響を及ぼす。したがって、パラメータをチェックすることによって、前段階においてパラメータが正しく検出されたか否かを適時に知ることができる。
【０１１９】
（４）デバイスタイプ情報
【０１２０】
デバイスタイプ情報は、さまざまなコストに基づいた分類によって取得されるデバイスタイプか、さまざまなデバイス性能に基づいた分類によって取得されるデバイスタイプか、または、さまざまな機能に基づく分類によって取得されるデバイスタイプであってよい。例えば、コストに基づいた分類によって取得されるデバイスタイプは、低コストデバイスおよび高コストデバイスを含む。これらのタイプは通常、モノのインターネットにおける伝送端末に使用される。例えば、デバイス性能に基づいた分類によって取得されるデバイスタイプは、低性能デバイス、中程度性能デバイス、および高性能デバイスを含む。あるいは、デバイス性能に基づいた分類によって取得されるデバイスタイプは、デバイス性能レベル（例えば、性能レベルは１から１０であってよい）に基づいた分類によって直接取得される。例えば、さまざまな機能に基づく分類によって取得されるデバイスタイプは、基地局デバイス、中継デバイス、および端末デバイスを含む。あるいは、さまざまな機能に基づいた分類によって取得されるデバイスタイプは、さまざまなアクセス機能に基づいて規定されるデバイス、例えば、モノのインターネットのデバイス、モバイルブロードバンドサービスのデバイス、および低遅延超高信頼性のデバイスであってよい。
【０１２１】
シーケンス生成に使用される伝送パラメータがデバイスタイプ情報であるとき、現在のデバイスがアクセスするサービスタイプを検出することができる。例えば、現在の伝送デバイスがモノのインターネットの低性能端末であり、当該パラメータが誤検出された場合、後続の伝送パラメータは当該パラメータとマッチし得ず、結果的に、後続の検出エラーが連続的に生じる。したがって、前段階でパラメータが正しく検出されたか否かを適時に知ることができる。
【０１２２】
（５）サービスタイプ指示情報
【０１２３】
サービスタイプ指示情報は、サービスタイプを示すために使用される。サービスタイプは、モバイルブロードバンドサービス、低遅延サービス、超高信頼性サービス、低遅延超高信頼性サービス、モノのインターネットにおけるサービス、および他のタイプのサービスを含む。あるいは、サービスタイプは、さまざまなサービス品質パラメータのさまざまな値を使用することによって示すことができる。
【０１２４】
シーケンス生成に使用される伝送パラメータがサービスタイプ指示情報であるとき、現在のデバイスがアクセスするサービスのタイプを検出することができる。例えば、現在伝送されたサービスが低遅延超高信頼性サービスである場合、当該パラメータが誤検出されると、後続のサービス層のデータは当該パラメータとマッチし得ず、結果的に上位層のデータ検出エラーが生じる。したがって、前段階でパラメータが正しく検出されたか否かを適時に知ることができる。
【０１２５】
（６）伝送キャリア指示情報
【０１２６】
伝送キャリアインデックス指示情報は、現在の伝送キャリアのタイプまたは現在の伝送キャリアの識別子を含む。伝送キャリアタイプは、主／副のキャリアタイプ、例えばプライマリキャリアまたはセカンダリキャリア、であってよい。伝送キャリアタイプは、制御プレーンタイプ、例えば制御キャリアまたはデータキャリア、であってよい。伝送キャリアタイプは、スケジューリングベースキャリアまたはスケジューリングフリーキャリアといったスケジューリングタイプであってよい。あるいは、伝送キャリアは、ライセンスキャリアまたは非ライセンスキャリアであってよい。
【０１２７】
シーケンス生成に使用される伝送パラメータが伝送キャリア指示情報であるとき、現在のキャリアタイプが検出されたときにエラーが生じたために異なるタイプのキャリアが誤使用されるという状況を回避できる。したがって、前段階でパラメータが正しく検出されたか否かを適時に知ることができる。
【０１２８】
（７）デュプレックスモード指示情報
【０１２９】
デュプレックスモード指示情報は、現在の伝送キャリアのデュプレックスモードを示すために使用される。例えば、デュプレックスモード指示情報は、ＴＤＤ、ＦＤＤ、およびＦＤ（フルデュプレックスモード）のうちの少なくとも２つを含む。
【０１３０】
シーケンス生成に使用される伝送パラメータがデュプレックスモード指示情報であるとき、現在のキャリアのデュプレックスタイプを検出することができて、デュプレックスタイプ決定の際のエラーを回避できる。したがって、前段階でパラメータが正しく検出されたか否かを適時に知ることができる。
【０１３１】
（８）さまざまな制御チャネルまたは制御情報のフォーマット
【０１３２】
制御チャネルまたは制御情報のフォーマットは、対応する制御情報、例えばさまざまなＭＩＭＯモード、さまざまなサービスタイプ、またはさまざまな伝送リンクタイプ、を使用することによってスケジューリングされたデータの伝送モードを示すために使用される。
【０１３３】
あるいは、制御チャネルまたは制御情報のフォーマットは、さまざまな制御チャネルのフォーマットまたはタイプを示すために使用される。例えば、当該フォーマットまたはタイプは、長い制御チャネルまたは短い制御チャネルを含む。例えば、フォーマットまたはタイプを示すのに１ビットが使用され、ここで、１は、長い制御チャネル（例えば、伝送中における、４個のシンボル、１つのスロット、または１つのサブフレームの長さなどのより多くの時間ドメインシンボルを有する制御チャネル）を示し、０は、短い制御チャネル（例えば、伝送中における、１つまたは２つのシンボルなどのより少ない時間ドメインシンボルを有する制御チャネルを示す）。別の例では、フォーマットまたはタイプは、一段階スケジューリングに基づく制御チャネル、または二段階スケジューリングに基づく制御チャネルを含む。
【０１３４】
シーケンス生成に使用される伝送パラメータが制御情報であるとき、制御チャネルモードが誤検出されたか否かを検出することができる。当該パラメータが誤検出されると、対応する制御情報もまた誤検出される。結果的に、受信機はより多くの不要なブラインド検出を行う。したがって、前段階でパラメータが正しく検出されたか否かを適時に知ることができて、ブラインド検出が低減される。
【０１３５】
（９）さまざまなサブキャリア間隔の指示情報
【０１３６】
さまざまなサブキャリア間隔の指示情報は、現在の伝送中に使用されるサブキャリア間隔の値またはタイプを示すために使用される。例えば、示されるサブキャリア間隔は、サブキャリア間隔値｛１５，３０，６０，１２０，２４０，４８０｝ｋＨｚのうちの少なくとも２つである。
【０１３７】
シーケンス生成に使用される伝送パラメータがさまざまなサブキャリア間隔の指示情報であるとき、サブキャリア間隔パラメータが誤検出されたか否かを検出することができる。当該パラメータが誤検出されると、後続の伝送および検出中にエラーが生じる。なぜなら、サブキャリア間隔は、マルチキャリアシステムでの伝送中における最も重要なパラメータだからである。当該パラメータが誤検出されると、受信機は、制御およびデータ復号検出を連続的に行う。これによって、受信機全体の実装の複雑さが増す。
【０１３８】
（１０）時間ドメインリソースタイプ
【０１３９】
時間ドメインリソースタイプは、標準の時間ドメインリソースおよび短い時間ドメインリソースを含む。例えば、時間ドメインリソースタイプは、スロット（ｓｌｏｔ）およびミニスロット（ｍｉｎｉ−ｓｌｏｔ）を含んでよい。ｍｉｎｉ−ｓｌｏｔの長さは通常、ｓｌｏｔの長さを超えない。
【０１４０】
任意選択的に、時間ドメインリソースタイプは、シングルリソース伝送の指示情報およびマルチリソース集約伝送の指示情報を含む。シングルリソース伝送とは、１回の伝送中に、１つの最も基本的な伝送リソース要素、例えば１つのスロットおよび１つのキャリア、が使用されること、または、単一の周波数ドメインリソースが伝送の単位として使用されることを意味する。マルチリソース集約伝送とは、１回の伝送中に複数の伝送リソースが同時に使用されることを意味する。例えば、１回の伝送中、複数のスロットが集約伝送に使用され、複数のキャリアが集約伝送に使用され、または、複数の基本的な周波数ドメインリソース要素が集約伝送に使用される。ここで、現在の伝送がシングルリソース伝送なのか、またはマルチリソース集約伝送なのかを示すのに１ビットが使用されてよい。あるいは、現在の集約されている伝送リソースの数を示すのに複数のビットが使用されてよい。
【０１４１】
シーケンス生成に使用される伝送パラメータが時間ドメインリソースタイプであるとき、現在の時間ドメインリソースタイプが誤検出されたか否かを検出することができる。当該パラメータが誤検出されると、その後に時間ドメインリソースが読み出されるときに、より少ない、またはより多くのデータシンボルが読み出され、後続の通信中にエラーを生じさせる。したがって、前段階でパラメータが正しく検出されたか否かを適時に知ることができ、ブラインド検出回数および復号回数が低減される。
【０１４２】
（１１）セル識別子情報
【０１４３】
セル識別子は、ＵＥが位置する現在のセルを識別するのに使用される物理識別子である。
【０１４４】
（１２）時間ドメインリソースインデックス情報
【０１４５】
時間ドメインリソースインデックス情報は、特定のサブキャリア間隔における時間ドメインリソースの指示情報であり、例えば、時間ドメインリソースのインデックスであってよい。
【０１４６】
本発明の実施形態の解決手段において、シーケンスは、前述の伝送パラメータのうちの任意の１または複数を使用することによって生成されてよい。シーケンスは前述の伝送パラメータを使用することによって生成され、それによって、前述の伝送パラメータに対して双方向チェックを行うことができる。加えて、前述の伝送パラメータに対応するさまざまなシナリオにおいて干渉のランダム化を行うことができ、さまざまなシナリオにおいて発生する区別不可能な、または連続的な干渉を回避する。シーケンスが２つ以上の伝送パラメータを使用することによって生成されるとき、双方向チェックを複数のパラメータに対して同時に行うことができて、システムの安定性および信頼性をさらに向上させる。以下では、具体的な実施形態に関連して本出願の伝送方法を具体的に説明する。図３は、本出願の実施形態に係る伝送方法のフローチャートである。図３に示すように、当該方法は、以下の段階を備える。
【０１４７】
段階Ｓ１０１：第１デバイスが、１または複数の伝送パラメータに基づいてシーケンスを生成する。
【０１４８】
本発明のこの実施形態の解決手段において、第１デバイスは、前述の２つの方式のうちの少なくとも１つでシーケンスを生成してよい。前述の２つの方式の両方において、第１デバイスは、シーケンスを生成するときに１または複数の伝送パラメータに基づいてシーケンスの初期値および／または最初の位置を決定する必要がある。
【０１４９】
本発明のこの実施形態の解決手段において、シーケンスの初期値および／または最初の位置の決定に使用される１または複数の伝送パラメータについては、前述の説明を参照されたい。
【０１５０】
本発明のこの実施形態の解決手段において、第１デバイスが１または複数の伝送パラメータに基づいてシーケンスの初期値および／またはシーケンスの最初の位置を決定することは、以下のことを有する。
【０１５１】
第１デバイスは、１または複数の伝送パラメータに基づいてシーケンスの初期値を決定する。ここで、シーケンスの最初の位置は定数である。例えば、伝送パラメータを使用することによってシーケンスを生成するという解決手段では、シーケンスの最初の位置は定数である。別の例の場合、１または複数の伝送パラメータに基づいて目標シーケンスを生成し、目標シーケンスから使用予定シーケンスを抽出するという解決手段では、シーケンスの（シーケンスの最初の位置に対応する）最初の抽出位置は、定数に設定されてよい。
【０１５２】
別の可能な実施形態において、第１デバイスはさらに、１または複数の伝送パラメータに基づいてシーケンスの最初の位置を決定する。例えば、１または複数の伝送パラメータに基づいて目標シーケンスを生成し、目標シーケンスから使用予定シーケンスを抽出するという解決手段では、第１デバイスはさらに、１または複数の伝送パラメータに基づいて、シーケンスの（シーケンスの最初の位置に対応する）最初の抽出位置を決定する。
【０１５３】
任意選択的に、第１デバイスは、１または複数の伝送パラメータのうちの第１パラメータを使用することによってシーケンスの初期値を生成し、１または複数の伝送パラメータのうちの第２パラメータを使用することによってシーケンスの最初の位置を生成してよい。
【０１５４】
第１パラメータは、第２パラメータと同じであってもよいし、または第２パラメータとは異なっていてもよいことに留意されたい。具体的な例では、第１パラメータが第２パラメータと同じであるとき、シーケンスの初期値およびシーケンスの最初の位置は、同じ伝送パラメータの異なるビットに基づいて別々に決定されてよい。シーケンスの初期値およびシーケンスの最初の位置が同じ伝送パラメータの異なるビットに基づいて別々に決定されるとき、伝送パラメータは、前述の列挙した伝送パラメータのうちいずれか１つであってよい。具体的な例では、伝送パラメータはユーザアイデンティティ指示情報、例えば無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）であってよい。別の例では、伝送パラメータは、セル識別子であってよい。具体的な例では、伝送パラメータは、セル識別子である。セル識別子が最長１０ビットである（言い換えれば、セル識別子が合計１０２４の異なる値を有する）場合、シーケンスの初期値は、伝送パラメータの最初の５ビットに基づいて決定されてよく、シーケンスの最初の位置は、伝送パラメータの最後の５ビットに基づいて決定されてよい。具体的なビット選択方式は、実際の適用要件に基づいて決定されてよい。
【０１５５】
段階Ｓ１０２：第１デバイスが、シーケンスを使用することによって伝送予定情報を生成する。
【０１５６】
本発明のこの実施形態の解決手段において、第１デバイスがシーケンスを使用することによって伝送予定情報を生成することは、シーケンスを使用することによって伝送予定データをスクランブル処理することであって、伝送予定情報は、スクランブル処理された伝送予定データである、スクランブル処理すること、または、シーケンスを使用することによって参照信号を生成することであって、伝送予定情報は、スクランブル処理用参照信号である、生成することを有する。
【０１５７】
任意選択的に、第１デバイスが１つのシーケンスを生成する場合では、第１デバイスは、シーケンスを使用することによってデータをスクランブル処理し、または、シーケンスを使用することによって参照信号を生成する。
【０１５８】
第１デバイスが複数のサブシーケンスを生成する場合では、第１デバイスは、複数のサブシーケンスに基づいて１つのシーケンスを生成した後、当該シーケンスを使用することによってデータをスクランブル処理し、または、シーケンスを使用することによって参照信号を生成してよい。別の可能な実施形態において、第１デバイスが複数のサブシーケンスを生成したとき、第１デバイスは、複数のサブシーケンスを使用することによって伝送予定データをスクランブル処理し、または、複数のサブシーケンスを使用することによって参照信号を生成してよい。
【０１５９】
別の可能な実施形態において、第１デバイスが複数のサブシーケンスを生成するとき、当該複数のサブシーケンスは、異なる時間ドメインリソースまたは伝送システムに別々に対応する。第１デバイスは、現在の時間ドメインリソースまたは伝送システムのタイプに基づいて複数のサブシーケンスからシーケンスを選択し、選択されたシーケンスを使用することによってデータをスクランブル処理し、または選択されたシーケンスを使用することによって参照信号を生成する。
【０１６０】
段階Ｓ１０３：第１デバイスが伝送予定情報を送信する。
【０１６１】
本発明のこの実施形態の解決手段において、第１デバイスが伝送予定情報を送信した後、受信デバイスは伝送予定情報を受信する。受信デバイスは、直接通信方式の端末デバイスであってよく、または、基地局転送方式の基地局であってよい。
【０１６２】
段階Ｓ１０４：第１デバイスが送信した情報を、第２デバイスが受信する。
【０１６３】
段階Ｓ１０５：第２デバイスが、シーケンスを使用することによって、受信した伝送された情報を復調する。
【０１６４】
第２デバイスが使用するシーケンスもまた、１または複数の伝送パラメータに基づいて決定される。１または複数の伝送パラメータに基づいて第２デバイスがシーケンスを決定する方式については、第１デバイスがシーケンスを決定する方式を参照されたい。ここでは再度詳細は説明しない。
【０１６５】
本発明のこの実施形態の解決手段において、第２デバイスが受信した伝送された情報を復調することは、第２デバイスがシーケンスを使用することによって伝送されたデータを復調すること、および／または、第２デバイスが受信した参照信号を使用することによって受信処理を行うことを有する。受信した参照信号を使用することによって受信処理を行うことは、参照信号を使用することによって受信データを復調すること、または、参照信号を使用することによってチャネル状態情報を推定し、および／もしくは参照信号を使用することによってデータを復調することを含む。
【０１６６】
要約すると、本発明のこの実施形態の解決手段においては、１または複数の伝送パラメータ、例えばシステムの中に新たに導入された伝送パラメータおよび／または長さを長くした伝送パラメータ、を使用することによってシーケンスが生成され、生成されたシーケンスを使用することによってデータがスクランブル処理され、および／または、生成されたシーケンスを使用することによって参照信号が生成されることが分かる。第２デバイス（これは受信機に対応する）はまた、受信処理の前に参照信号を生成し、その次に、対応する段階においてデスクランブル処理を行う。
【０１６７】
第２デバイスが第１デバイスとの通信のプロセスにおいて伝送パラメータを誤推定した場合、第２デバイスのＳＮＲの値に関わらず、第２デバイスは、受信したデータパケットに誤りがあると判断し、第２デバイスは、前に取得した伝送パラメータが正しいか否かを適時にチェックして、データ伝送エラーの累積または伝播を回避する。図４は、本出願の別の実施形態に係る伝送方法のフローチャートである。本発明のこの実施形態の方法では、１または複数の伝送パラメータに基づいて、少なくともシーケンスの最初の位置が決定される。図４に示すように、当該方法は以下の段階を備える。
【０１６８】
段階Ｓ２０１：第１デバイスが、シーケンス生成のための最初の位置を１または複数の伝送パラメータに基づいて決定する。ここで、１または複数の伝送パラメータは定数ではない。定数ではない１または複数の伝送パラメータは、前述の列挙した伝送パラメータのうちの１または複数であってよく、詳細は再度説明しない。
【０１６９】
可能な実施形態において、第１デバイスによって使用されるシーケンスの初期値は定数である。例えば、第１デバイスは、目標シーケンスとして既知のシーケンスを決定し、第１デバイスは、１または複数の伝送パラメータに基づいて、目標シーケンスから（最初の位置に対応する）最初の抽出位置を決定する。
【０１７０】
別の可能な実施形態において、第１デバイスはさらに、１または複数の伝送パラメータに基づいてシーケンスの初期値を決定する。例えば、第１デバイスは、１または複数の伝送パラメータに基づいて目標シーケンスを決定する。
【０１７１】
段階Ｓ２０２：第１デバイスが、シーケンスを使用することによって伝送予定情報を生成する。
【０１７２】
本発明のこの実施形態の、シーケンスを使用することによって伝送予定情報を生成するための方法は、図３に示した実施形態の方法と同じであり、詳細は再度説明しない。
【０１７３】
段階Ｓ２０３：第１デバイスは、伝送予定情報を送信する。
【０１７４】
本発明のこの実施形態の解決手段において、第１デバイスが伝送予定情報を送信した後、受信デバイスは、伝送された情報を受信する。受信デバイスは、直接通信方式の端末デバイスであってよく、または、転送方式の基地局であってよい。
【０１７５】
段階Ｓ２０４：第１デバイスが送信した情報を、第２デバイスが受信する。
【０１７６】
段階Ｓ２０５：第２デバイスが、シーケンスを使用することによって、受信した情報を復調する。
【０１７７】
第２デバイスによって使用されるシーケンスもまた、１または複数の伝送パラメータに基づいて決定される。１または複数の伝送パラメータに基づいて第２デバイスがシーケンスを決定する方式については、第１デバイスがシーケンスを決定する方式を参照されたい。ここでは再度詳細は説明しない。
【０１７８】
本発明のこの実施形態の解決手段において、第２デバイスは、シーケンスを使用することによって伝送されたデータを復調し、および／または、第２デバイスは、受信した参照信号を使用することによって受信処理を行う。受信した参照情報を使用することによって受信処理を行うことは、参照信号を使用することによって受信データを復調すること、または、参照信号を使用することによってチャネル状態情報を推定することを含む。本発明の実施形態の伝送方法と従来技術の伝送方法との主な違いは、本出願の解決手段では、１または複数の伝送パラメータが、データのスクランブル処理に使用され、または参照信号の生成に使用されるシーケンスの中に導入されるという点にある。図３および図４に示す方法に関連して、以下の実施形態では主に、１または複数の伝送パラメータに基づいてシーケンスを決定するプロセスについて詳細に説明し、いくつかの実施形態において、生成されたシーケンスに基づいてデータをスクランブル処理し、または生成されたシーケンスに基づいて参照信号を生成するプロセスについて説明する。以下の実施形態では説明のために、１または複数の伝送パラメータに基づいてランダムシーケンスが決定される例を使用する。
【０１７９】
本出願の伝送方法の具体的な実施形態において、第１デバイスは、ランダムシーケンスを生成するとき、前述の伝送パラメータのうちの１または複数に基づいてランダムシーケンスの最初の位置を決定する。例えば、従来技術において生成されるランダムシーケンスは、３１ビットに固定されており、出力される最初の位置は一定値であり、例えば１６００である。本発明のこの実施形態の伝送方法を使用することによってランダムシーケンスが生成されるとき、ランダムシーケンスは依然として既存の方法にしたがって決定されてよく、または、ランダムシーケンスは、前述の伝送パラメータのうちの１または複数に基づいて決定されてよい。ランダムシーケンスの生成に使用される方式に関わらず、ランダムシーケンスの最初の位置は１または複数の伝送パラメータに基づいて決定される。
【０１８０】
以下では、ロングタームエボリューション（Ｌｏｎｇ  Ｔｅｒｍ  Ｅｖｏｌｕｔｉｏｎ、ＬＴＥ）システムにおける具体的な例に関連して、本発明のこの実施形態の伝送方法におけるランダムシーケンス生成プロセスをさらに説明する。
【０１８１】
ＬＴＥシステムでは、長さが３１ビットのランダムシーケンスは、
【数１】
0006918950.tif 000002
と規定され、式中、ｃ（ｎ）はランダムシーケンスの出力値であり、ｘ１およびｘ２は、次の生成多項式
【数２】
0006918950.tif 000003
を使用することによって生成される。
【０１８２】
ｘ１に対応するシーケンス初期値は、ｘ１（０）＝１、ｘ１（ｎ）＝０、ｎ＝１，２，...，３０である。ランダムシーケンスｃ（ｎ）に対応する初期値は、ｘ２の初期値であり、すなわち、
【数３】
0006918950.tif 000004
である。いくつかの実際の具体的応用において、シーケンスの初期値Ｃｉｎｉｔは、通常は所与のものであり、次に、初期値が２進数に変換された後、ｘ２シーケンスシフトレジスタの各ステータスビットの初期値が決定される。
【０１８３】
いくつかの具体的応用例では、例えば、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）データスクランブル処理用シーケンスのために生成された初期値は、
【数４】
0006918950.tif 000005
である。
【０１８４】
図５に示すように、ｎＲＮＴＩは、無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）の値であり、１６ビットを使用することによって示される。ｑはコードワード数であり、ＬＴＥでは２つのコードワードがあり、ｑは１ビットで示され、ｑの値は０または１である。ｎｓはスロット番号であり、ＬＴＥではｎｓの値の範囲は０〜９であり、４ビットを使用することによって示される。
【数５】
0006918950.tif 000006
はセル識別子であり、ＬＴＥでは、
【数６】
0006918950.tif 000007
の値の範囲は０〜５０３である。
【０１８５】
図５から、長さが３１ビットのシーケンスのうち３０ビットが占有されていることが分かる。新たなパラメータがランダム化される必要がある場合、既存のＬＴＥ技術ではシーケンスを拡張することも、新たなパラメータを追加することもできず、または、既存のパラメータのうちの１または複数が占有するビットの長さが増えるとき、ビットの長さには制限があるために、これ以上既存のシーケンスを使用することはできない。
【０１８６】
シーケンスを拡張し、または、新たな伝送パラメータをシーケンスに追加するべく、本発明の実施形態では、シーケンス生成中に、特定のシーケンス（これは再使用される既存のシーケンスであっても、または新たに規定されたシーケンスであってもよい）に対して、以下の方法を使用することによってシーケンスの初期値および最初の位置が決定されてよい。図６に示すように、当該方法は、以下の段階を備える。
【０１８７】
段階Ｓ３０１：伝送パラメータの第１部分を決定する。ここで、伝送パラメータの第１部分は、シーケンスの初期値の決定に使用される。例えば、ランダムシーケンスの初期値は依然として、
【数７】
0006918950.tif 000008
の式にしたがって決定される。この場合、伝送パラメータの第１部分は、ＲＮＴＩ、ｑ、ｎｓ、およびセルＩＤを含む。
【０１８８】
段階Ｓ３０２：伝送パラメータの第２部分を決定する。ここで、伝送パラメータの第２部分は、ランダムシーケンスの最初の位置の決定に使用される。前述の列挙した伝送パラメータのうちの１または複数が、伝送パラメータの第２部分として選択されてよい。伝送パラメータが選択されるとき、伝送パラメータのいくつかのビットが使用されてよい。それに応じて、ランダムシーケンスの最初の位置は、
【数８】
0006918950.tif 000009
である。式中、ｆ（）は、伝送パラメータｘ、ｙ、およびｚの関数を表す。
【０１８９】
いくつかの任意選択的な具体的な実施形態において、Ｎｃは、
【数９】
0006918950.tif 000010
のうちいずれか１つであってよい。式中、ａおよびｂは予め規定された実定数であり、Ｌはランダムシーケンスの長さであり、ＭＰＮは、ランダムシーケンスの読み出された長さであり、ｍｏｄ（ｘ，ｙ）は、伝送パラメータｘに基づいて伝送パラメータｙに対して行われるモジュロ演算を表す。
【０１９０】
任意選択的に、ｎｓを例として使用し、Ｎｃは以下の具体的な例、
【数１０】
0006918950.tif 000011
のうちいずれか１つであってよい。式中、ｍは整数である。ｎｓが別の伝送パラメータに変更されてよいことは明らかである。
【０１９１】
それに応じて、ランダムシーケンスの出力値は、
【数１１】
0006918950.tif 000012
となる。
【０１９２】
任意選択的に、伝送パラメータの第２部分は、伝送パラメータの第１部分と同じであっても、異なっていてもよい。例えば、伝送パラメータの第２部分は、時間ドメインリソースタイプ、伝送波形指示情報、サブキャリア間隔指示情報、ビーム指示情報、デバイスタイプ情報、サービスタイプ指示情報、ＭＩＭＯモード指示情報、デュプレックスモード指示情報、および制御チャネルフォーマット指示情報であってよい。伝送パラメータの第１部分は、ＵＥ識別子およびセル識別子のうちの少なくとも１つであってよい。
【０１９３】
任意選択的に、伝送パラメータの第２部分は、伝送パラメータの第１部分の伝送パラメータのいくつかのビットであってよい。例えば、時間ドメインリソース指示情報が、サブフレームインデックス指示情報とスロットインデックス指示情報とに分割される。具体的な例では、伝送パラメータの第１部分は、サブフレーム番号またはフレーム番号を含み、伝送パラメータの第２部分は、特定のサブフレームにおけるスロットの番号を含んでよい。別の例では、伝送パラメータの第１部分が、特定のサブフレームにおけるスロットの番号を含み、伝送パラメータの第２部分が、サブフレーム番号またはフレーム番号を含む。別の例では、セル識別子のビットが２つの部分に分割されてよい。一方の部分が第１伝送パラメータに対応し、他方の部分が第２伝送パラメータに対応する。
【０１９４】
この実施形態の伝送方法によれば、ランダムシーケンスを決定するとき、伝送パラメータに基づいて、ランダムシーケンスの初期値および最初の位置という２つのディメンジョンが決定される必要がある。したがって、ランダムシーケンスを規定するための既存の方法と比較して、強制的にランダムシーケンスを変更する必要なく、より多くのシーケンスをランダム化することができる。これによってランダム化のディメンジョンが増し、その結果、新たに導入された伝送パラメータ、または元のパラメータがより大きくなった後に取得されたパラメータをさらにランダム化することができて、より多くの伝送パラメータを確実にランダム化する。本出願の伝送方法の別の具体的な実施形態において、第１デバイスは、時間ドメインリソースインデックスに基づいてランダムシーケンスの初期値および最初の位置を決定する。本発明のこの実施形態の方法において、時間ドメインリソースインデックスとは、既存のシステムにおいて規定される時間ドメインリソースインデックス値であってよい。任意選択的に、時間ドメインリソースインデックスは、連続する時間ドメインリソースがより小さい時間粒度に基づいて分割された後に再規定された時間ドメインリソースインデックスであり、再規定された時間ドメインリソースインデックスは、ランダムシーケンスの生成パラメータである。連続する時間ドメインリソースが、より小さい時間粒度に基づいてさまざまな部分に分割された後、より小さい時間ドメインリソースにおけるランダムシーケンスの生成パラメータはそれぞれ異なり、より小さい時間ドメインリソースにおけるランダムシーケンスの生成パラメータは、それぞれ同じであっても、異なっていてもよい。
【０１９５】
本発明のこの実施形態において、スロットは、連続する１または複数の時間ドメインシンボルに対応する、占有された伝送リソースのセットである。スロットが占有する時間ドメインリソースの長さは通常１ｍｓを超えない。
【０１９６】
図７は、再分割された時間ドメインリソースの概略図である。図７に示すように、長さが１０ｍｓ（ミリ秒）のフレームは１０個のサブフレームを有し、各サブフレームは長さが１ｍｓである。１０ｍｓフレームは、５つの時間ドメインサブリソースに分割されてよい。時間ドメインサブリソース内のさまざまなシンボルまたはスロットにおけるランダムシーケンスの生成パラメータは、それぞれ異なる。さまざまな時間ドメインサブリソースにおけるランダムシーケンスの生成パラメータは、同じであっても、異なっていてもよい。例えば、時間ドメインサブリソース０のランダムシーケンスの生成パラメータと時間ドメインサブリソース１のランダムシーケンスの生成パラメータとは同じである。別の例では、１０ｍｓフレームは、長さが等しい１０個の時間ドメインサブリソースに分割されてよく、各時間ドメインサブリソースは、長さが１ｍｓの１つのサブフレームである。時間ドメインサブリソース内のさまざまなシンボルまたはスロットにおけるランダムシーケンスの生成パラメータは、それぞれ異なる。さまざまな時間ドメインサブリソースにおける、例えば、第１サブフレームおよび第２サブフレームの同じ位置のシンボルまたはスロットにおけるシーケンスの生成パラメータは、同じであっても、異なっていてもよい。
【０１９７】
本発明のこの実施形態の解決手段は、時間ドメインリソースをランダム化するシナリオに適用可能である。例えば、ノーマルサイクリックプレフィックス（ｃｙｃｌｉｃ  ｐｒｅｆｉｘ、ＣＰ）の場合、各スロットが７個のシンボルを占有するとき、さまざまなサブキャリア間隔におけるスロット（ｓｌｏｔ）数を表１に示す。
【表１】
0006918950.tif 000013
【０１９８】
表１に示した、さまざまなサブキャリア間隔におけるスロット（ｓｌｏｔ）の数は、代替的に図８の方式で示されてよい。
【０１９９】
別の例では、ノーマルＣＰの場合、各スロットが１４個のシンボルを占有するとき、さまざまなサブキャリア間隔におけるスロットの数を表２に示す。
【表２】
0006918950.tif 000014
【０２００】
この実施形態のさらなる方法は、ランダムシーケンス生成用のスロット番号ｎｓをｆ（ｎｓ，Ｍ）で置き換えることである。ここで、ｆ（ｎｓ，Ｍ）は、スロット番号ｎｓおよびパラメータＭに基づいて生成される関数、言い換えれば、ｎｓおよびＭに基づいて決定される関数、を表す。
【０２０１】
例えば、ｆ（ｎｓ，Ｍ）＝ｍｏｄ（ｎｓ，Ｍ）は、スロット番号ｎｓに基づいてパラメータＭに対して行われるモジュロ演算を表す。
【０２０２】
別の例では、ｆ（ｎｓ，Ｍ）とは、スロットｎｓによって示される２進整数からｋ個のビットが抽出されることである。ここで、ｋは、ｃｅｉｌ（ｌｏｇ２（Ｍ））を超えない。例えば、Ｍ＝２０のとき、ｃｅｉｌ（ｌｏｇ２（Ｍ））＝５である。現在のスロットｎｓを２進数として表記し、当該２進数から５ビットを抽出する。例えば、現在のｎｓが５６である場合、現在のｎｓは２進数の０１１１０００と表記される。ここで、当該２進数から５ビットが抽出されてよい。例えば、５ビットが右から左に抽出された場合、言い換えれば、下位ビットが抽出された場合、シーケンス生成に使用される現在のスロット番号は１１０００＝２４となる。別の例では、５ビットが左から右に抽出された場合、言い換えれば、上位ビットが抽出された場合、シーケンス生成に使用される現在のスロット番号は０１１１０＝１４となる。
【０２０３】
ここで、Ｍは、連続するＭ個のスロットを表し、Ｍの値は、次のうちいずれか１つの方式で決定されてよい。
（１）Ｍは、予め規定された固定の正の整数、例えば２０、１６、または３２である。
（２）Ｍは、各サブキャリア間隔に対応する同期信号周期に等しい。例えば、Ｍは、同期信号周期におけるスロット数である。別の例では、Ｍは、同期信号周期におけるスロット数の半分である。
（３）Ｍは、ｎｓが占有する予め規定されたｋ個のビットに基づいて決定され、例えばＭ＝２ｋである。
（４）Ｍは、予め規定された持続時間内の異なるサブキャリア間隔におけるスロットの数である。例えば、１ｍｓ内において、異なるサブキャリア間隔におけるスロットの数はＭ＝Ｋ×Ｍ０であり、Ｍ０は、参照サブキャリア間隔におけるスロットの数である。例えば、参照サブキャリア間隔が１５ｋＨｚである場合、Ｍ０＝２または１である。ここで、Ｋは、現在のサブキャリア間隔と参照サブキャリア間隔との間の倍率である。例えば、現在のサブキャリア間隔が１２０ｋＨｚであり、参照サブキャリア間隔が１５ｋＨｚである場合、Ｋ＝１２０／１５＝８であり、それに応じてこの場合、Ｍ＝１６となる。
【０２０４】
本発明のこの実施形態の解決手段において、フレーム内の特定のサブキャリア間隔におけるＭ個のスロットがより小さい時間ドメインサブリソースとして使用され、ｆ（ｎｓ，Ｍ）に基づいて、各時間ドメインサブリソース内のＭ個のスロットにおいてランダムシーケンスが生成される。
【０２０５】
異なるサブキャリア間隔におけるＭ個の異なるスロットは、異なる持続時間を占有することに留意されたい。このことが従来技術とは異なる。例えば、Ｍ＝１６のとき、１５ｋＨｚのサブキャリア間隔におけるＭは８ｍｓに対応しており、３０ｋＨｚのサブキャリア間隔におけるＭは４ｍｓに対応しており、６０ｋＨｚのサブキャリア間隔におけるＭは２ｍｓに対応している。
【０２０６】
本発明のこの実施形態の解決手段において、予め設定された長さ（例えば１０ｍｓフレーム）の時間周波数リソース内のさまざまなサブキャリア間隔におけるスロットパラメータに対してどのようにスクランブル処理用シーケンスを生成するのかという問題が解決される。したがって、より大きなｎｓ値を使用することによってどのようにスクランブル処理用シーケンスを生成するのかという問題が、シーケンスを変更することなく解決される。この副次的な実施形態が実装された後、隣接する異なる時間ドメインサブリソースに対するスクランブル処理もまた異なる。言い換えれば、１０ｍｓフレーム内において、異なるスロットにおけるスクランブル処理されたシーケンスは、同じであっても、異なっていてもよい。本出願の伝送方法の別の実施形態の解決手段では、第１デバイスは、異なる伝送パラメータに基づいて、または同じ伝送パラメータの異なるビットに基づいて、複数のシーケンスを別々に生成し、次に、複数のシーケンスを別々に、または併せて使用して、データをスクランブル処理し、または参照信号を生成してよい。
【０２０７】
本発明のこの実施形態の解決手段において、任意選択的な方法は、スロットに対して２段階付番を実行し、次に、異なるスロット番号に基づいて異なるシーケンスを別々に生成する、というものである。
【０２０８】
例えば、各時間ドメインサブリソースは、ｆｉｘ（ｎｓ／Ｍ）を使用することによって付番される。ここで、ｆｉｘ（ｘ）は、数ｘに対して行われる端数切り捨て演算を表す。例えば、ｆｉｘ（１５．２）＝１５であり、ｆｉｘ（１６．７）＝１６である。Ｍの値は、前述の規定された値と同じである。連続するＭ個のスロットを含む時間ドメインサブリソース内のスロットの番号は同じであり、異なる時間ドメインサブリソース内のスロットの番号は異なる。ランダムシーケンスが生成されるとき、
ｎｓ１＝ｆｉｘ（ｎｓ／Ｍ）、および
ｎｓ２＝ｍｏｄ（ｎｓ，Ｍ）
という２つの番号が生成される。
【０２０９】
例えば、Ｍ＝８であり、サブキャリア間隔が３０ｋＨｚであるとき、１０ｍｓフレーム内の時間ドメインリソースの番号、および当該時間ドメインリソース内のスロットの番号を表３および図９に示す。
【表３】
0006918950.tif 000015
【０２１０】
本発明のこの実施形態の解決手段において、任意選択的に、２段階付番の後に取得されたスロットパラメータが、２つのシーケンスを使用することによってランダム化されてよい。２つのシーケンスは、同じであっても、異なっていてもよい。２つのシーケンスはそれぞれ、
【数１２】
0006918950.tif 000016
および
【数１３】
0006918950.tif 000017
であり、式中ｆ（ｘ）は、ｘの関数を表し、言い換えれば、２つのシーケンスの初期値は入力変数ｘに基づいて決定される。
【０２１１】
例えば、各時間ドメインサブユニットが占有する持続時間が１ｍｓである場合、時間ドメインサブリソース番号は、サブフレーム番号（ｎｓｕｂｆｒａｍｅ）、すなわちｎｓ１＝ｆｉｘ（ｎｓ／Ｍ）＝ｎｓｕｂｆｒａｍｅである。
【０２１２】
上述のＰＵＳＣＨスクランブル処理を例として使用した場合、第１シーケンスの初期値は、
【数１４】
0006918950.tif 000018
であり、
第２シーケンスの初期値は、
【数１５】
0006918950.tif 000019
である。
【０２１３】
ここで、ＫおよびＭ０は正の整数である。
【０２１４】
本発明のこの実施形態の解決手段において、別の任意選択的な方法は、異なる伝送パラメータを使用することによって、異なるシーケンスを別々に生成し、次に、これらの生成されたシーケンスを使用することによって、データのランダム化または参照信号の生成を行うという方法である。
【０２１５】
例えば、時間ドメインリソースインデックス、時間ドメインリソースタイプ、伝送波形指示情報、サブキャリア間隔指示情報、ビーム指示情報、およびＵＥ識別子というパラメータのうち少なくとも１つを使用することによって、第１シーケンスの初期値および／または最初の位置ｃ１，ｉｎｉｔが生成される。
【０２１６】
例えば、セル識別子、デバイスタイプ情報、サービスタイプ指示情報、ＭＩＭＯモード指示情報、デュプレックスモード指示情報、制御チャネルフォーマット指示情報、およびキャリア指示情報というパラメータのうち少なくとも１つを使用することによって、第１シーケンスの初期値および／または最初の位置ｃ１，ｉｎｉｔが生成される。
【０２１７】
次に、第１シーケンスｃ１（ｎ）およびｃ２（ｎ）が別々に取得され、次の方式のうち少なくとも１つの方式でデータをスクランブル処理し、参照信号を生成するために別々に使用される。
【０２１８】
スクランブル処理予定データがｄ（ｎ）であると仮定する。次に、出力されるスクランブル処理されたデータｂ（ｎ）は以下の方式で生成される。
【数１６】
0006918950.tif 000020
【０２１９】
参照信号がランダムシーケンスを使用することによって生成される場合、第２シーケンスは、以下の２つの方式で使用されてよい。
【０２２０】
方式１：第１シーケンスおよび第２シーケンスを使用することによって第１参照信号および第２参照信号をそれぞれ生成し、次に、第１参照信号および第２参照信号に基づいて目標参照信号を生成する。
【０２２１】
例えば、まず２つの参照信号シーケンスｒ１（ｍ）およびｒ２（ｍ）が別々に生成される。
【数１７】
0006918950.tif 000021
式中、ｍは、参照信号生成用の各チップの識別子を表す。
【０２２２】
次に、目標の参照信号シーケンスが生成される。
【数１８】
0006918950.tif 000022
式中、
【数１９】
0006918950.tif 000023
は、ｒ２（ｍ）の共役複素数を表す。
【０２２３】
方式２：第１シーケンスおよび第２シーケンスを併せて使用することによって目標の参照信号シーケンスを生成し、目標の参照信号シーケンスを使用することによって目標参照信号を生成する。
【０２２４】
例えば、第１シーケンスおよび第２シーケンスを併せて使用することによって、目標の参照信号シーケンスｒ（ｍ）が生成される。
【数２０】
0006918950.tif 000024
式中、ｘ  ｍｏｄ２は、ｘに基づいて２に対して行われるモジュロ演算を表し、意味は前述のｍｏｄ（ｘ，２）と同じだが、表現法が前述のｍｏｄ（ｘ，２）とは異なっている。
【０２２５】
この実施形態は、より多くの伝送パラメータに対してどのように伝送チェックを行うかという問題が解決されるという有益な効果を有する。この実施形態の方法によると、１０ｍｓフレーム内の異なる時間ドメインリソースを強制的にグループ化することなく、より多くのパラメータを伝送できる。これによって、１０ｍｓ内の異なるサブフレームにおける伝送パラメータが確実に異なるようにすることができる。
【０２２６】
任意選択的に、伝送パラメータを使用することによって、３つ以上のシーケンスを生成することができる。これらのシーケンスを使用してデータのスクランブル処理または参照信号の生成を行う。使用される方法は、２つのシーケンスに対するものと同じである。したがって、ここでは再度列挙しない。時間ドメインリソースインデックスに基づいてランダムシーケンスの初期値および最初の位置を決定するという解決手段は、図７から図９およびその関連する説明に提供されている解決手段であり、具体的には、連続する時間ドメインリソースが、より小さい時間粒度に基づいて分割された後に時間ドメインリソースインデックスが再規定され、再規定された時間ドメインリソースインデックスが、ランダムシーケンスの決定用の生成パラメータとして使用される。
【０２２７】
時間ドメインリソースインデックスに基づいてランダムシーケンスの初期値および最初の位置を決定する別の解決手段において、スロット内のシンボルがミニスロット（ｍｉｎｉ−ｓｌｏｔ）として使用されてよく、１または複数のスロット内のミニスロット（ｍｉｎｉ−ｓｌｏｔ）にさらに番号が割り当てられ、その番号に基づいてシーケンスが生成される。１または複数のスロット内のミニスロット（ｍｉｎｉ−ｓｌｏｔ）にさらに番号を割り当て、当該番号に基づいてシーケンスを生成して伝送するための具体的な方法は、以下の段階を備える。
【０２２８】
（１）第１時間ドメインリソースインデックスを決定する。ここで、第１時間ドメインリソースインデックスに対応する時間ドメインリソースは、第２時間ドメインリソースインデックスに対応する時間ドメインリソース内にあり、第１時間ドメインリソースインデックスに対応するサブキャリア伝送間隔は、第２時間ドメインリソースインデックスに対応するサブキャリア間隔とは異なる。
【０２２９】
具体的な例では、図１０に示すように、スロットｉ（ｓｌｏｔ  ｉ）が第２時間ドメインリソースインデックスであり、スロットｉ内のシンボル２に対応する時間ドメインリソースが、ミニスロット（ｍｉｎｉ−ｓｌｏｔ）であり、ｍｉｎｉ−ｓｌｏｔは、０から３まで付番された４個のシンボルを含む。任意選択的に、ｍｉｎｉ−ｓｌｏｔは、スロットｉ内に１または複数のシンボルを占有することができるが、ｓｌｏｔ  ｉ内の全シンボル数より多くのシンボルを占有することはない。ｍｉｎｉ−ｓｌｏｔは、第１時間ドメインリソースである。
【０２３０】
（２）第１時間ドメインリソースインデックスに基づいてシーケンスを生成する。
【０２３１】
（３）シーケンスを使用することによって伝送予定データをスクランブル処理し、および／または、シーケンスを使用することによって参照信号を生成する。
【０２３２】
さらに、任意選択的に、ｓｌｏｔ  ｉのサブキャリア間隔は、ｍｉｎｉ−ｓｌｏｔのサブキャリア間隔より小さい。例えば、ｓｌｏｔ  ｉのサブキャリア間隔は１５ｋＨｚであり、ｍｉｎｉ−ｓｌｏｔのサブキャリア間隔は、３０ｋＨｚまたは６０ｋＨｚである。図１０に示すように、ｓｌｏｔ  ｉのサブキャリア間隔が１５ｋＨｚである場合、ｍｉｎｉ−ｓｌｏｔのサブキャリア間隔が６０ｋＨｚであるとき、スロットｉ内の１つのシンボル２は、ｍｉｎｉ−ｓｌｏｔ内の４個のシンボルに対応していてよい。ＯＦＤＭシステムにおける時間周波数関係によれば、サブキャリア間隔がより大きいことは、各シンボルが占有する持続時間がより短いことを示す。
【０２３３】
この実施形態において、１つのｓｌｏｔ  ｉは、さまざまなサブキャリア間隔において時間ドメイン伝送リソースを有するので、ｍｉｎｉ−ｓｌｏｔにおいて使用されるデータのスクランブル処理および／または参照信号の生成に使用されるシーケンスの生成パラメータ、特に、時間ドメインリソースインデックスのパラメータが決定される必要がある。言い換えれば、ｍｉｎｉ−ｓｌｏｔ内のデータおよび／または参照信号が生成されるとき、ｍｉｎｉ−ｓｌｏｔの識別子が決定される必要があり、ミニスロット内のさまざまなシンボルの識別子がさらに決定される必要がある。これらのパラメータが決定されない場合、対応するシーケンスが生成されるときにパラメータの混同が生じる。このことが、対応する伝送パラメータの双方向チェックに影響を及ぼし、ひいては通信性能およびシステムの安定性に影響を及ぼす。
【０２３４】
任意選択的に、第１時間ドメインリソースインデックスは、次の方式のうち少なくとも１つの方式で決定される。
【０２３５】
方式１：第１時間ドメインリソースインデックスが占有する第２時間ドメインリソースインデックスのスロットインデックスに基づいて、第１時間ドメインリソースインデックスを決定する。具体的な例において、図１０に示すように、ｍｉｎｉ−ｓｌｏｔの時間ドメインリソースインデックスは、ｓｌｏｔ  ｉの時間ドメインリソースインデックスｉを使用することによって示される。
【０２３６】
方式２：第１時間ドメインリソースインデックスが占有する第２時間ドメインリソースインデックスのシンボルインデックスに基づいて、第１時間ドメインリソースインデックスを決定する。具体的な例において、図１０に示すように、ｍｉｎｉ−ｓｌｏｔの時間ドメインリソースインデックスは、ｓｌｏｔ  ｉ内のシンボル番号２を使用することによって示される。
【０２３７】
方式３：第１時間ドメインリソースインデックスのスロットタイプ指示情報に基づいて、第１時間ドメインリソースインデックスを決定する。具体的な例において、スロットタイプ指示情報は、ｍｉｎｉ−ｓｌｏｔのシンボルの長さ、またはｍｉｎｉ−ｓｌｏｔのサブキャリア間隔を示してよい。
【０２３８】
方式４：第１時間ドメインリソースインデックスのスロット内の各シンボルのインデックスに基づいて、第１時間ドメインリソースインデックスを決定する。具体的な例において、ｍｉｎｉ−ｓｌｏｔのインデックスは、ｍｉｎｉ−ｓｌｏｔ内の特定の時間のドメインシンボルのインデックスを使用することによって生成されてよい。本発明のこの実施形態の解決手段において、同期信号と共に送信される制御情報内のデータ（例えば、物理ブロードキャストチャネルＰＢＣＨ内の情報）がさらに、スロットまたはシンボルの番号に関連するパラメータを使用することによってスクランブル処理されてよい。
【０２３９】
例えば、次の実装例、
【数２１】
0006918950.tif 000025
のうちいずれか１つが使用されてよい。
【０２４０】
本発明のこの実施形態の解決手段において、同期信号と共に送信される制御情報内のデータをスクランブル処理して、同期検出の双方向チェックを実装する。任意選択的に、スロットインデックスおよびシンボルインデックスが、制御情報内のデータと、制御情報を伝送するときに使用される参照信号とに併せて使用されてよい。言い換えれば、スロットインデックスおよびシンボルインデックスの両方は、参照信号シーケンスの生成中に別々にまたは同時に現われてよく、データスクランブル処理用シーケンスの生成中にも現われてよい。
【０２４１】
サブキャリア間隔に関連する時間ドメインリソースがスクランブル処理される。予め規定された持続時間（例えば１つの無線フレーム）内の時間ドメインリソースが、Ｍ個の時間ドメインサブリソースに分割される。各時間ドメインサブリソースにおけるデータをスクランブル処理し、各時間ドメインサブリソースにおける参照信号を生成するために、連結された２つのシーケンスが使用される。加えて、同期信号と共に送信される制御情報は、スロットまたはシンボルインデックスに関連するパラメータを使用することによってスクランブル処理されて、双方向チェックが実装される。本出願の可能な例において、３１ビットより長い新たなランダムシーケンスを規定することができ、それによって、延ばされたスロットの長さと、ランダムシーケンスの生成に使用される必要があるより多くの伝送パラメータとをランダムシーケンスの中に入力することができる。３１ビットより長い新たなランダムシーケンスを規定する方式は、以下の方式のうちの１つまたはそれらの組み合わせを含む。
【０２４２】
（１）３１ビットより長い単一のランダムシーケンスが使用される。使用されるランダムシーケンスは、Ｇｏｌｄシーケンスに限定されず、代替的に、ｍシーケンス、Ｇｏｌｄシーケンスに類似のシーケンス、またはＫａｓａｍｉシーケンスなどの別のランダムシーケンスであってよい。
【０２４３】
（２）複数のサブシーケンスに基づいて、新たなランダムシーケンスが決定される。
【０２４４】
可能な実施形態において、式
【数２２】
0006918950.tif 000026
にしたがって新たなランダムシーケンスが生成され、
式中、ｃ１はサブシーケンスであり、Ｎ１はサブシーケンスｃ１の長さであり、ｃ２は別のサブシーケンスであり、Ｎ２はサブシーケンスｃ２の長さであり、シーケンスｃの長さは、Ｎ１×Ｎ２である。
【０２４５】
任意選択的に、ｃ１およびｃ２はそれぞれ、長さが３１ビットのＧｏｌｄシーケンスを使用することができるか、または、ｃ１およびｃ２のうちの一方が、長さが３１ビットのＧｏｌｄシーケンスを使用し、他方が、長さが少なくとも５ビットのｍシーケンスもしくはＧｏｌｄシーケンスを使用する。
【０２４６】
任意選択的に、一方のサブシーケンスが、長さが３１ビットのＧｏｌｄシーケンスを使用し、当該シーケンスは既存のシーケンスであってよく、または本発明の実施形態の方法にしたがって再決定されたシーケンスであってよく、他方のシーケンスが、長さ７ビットのシーケンスを使用し、当該長さが７ビットのシーケンスは、
【数２３】
0006918950.tif 000027
にしたがって生成されてよい。この場合、生成されたシーケンスの長さは３８ビットである。
【０２４７】
任意選択的に、一方のサブシーケンスが、長さが３１ビットのＧｏｌｄシーケンスを使用し、当該シーケンスは既存のシーケンスであってよく、または本発明の実施形態の方法にしたがって再決定されたシーケンスであってよく、他方のシーケンスが、長さ１２ビットのシーケンスを使用し、当該長さが１２ビットのシーケンスは、
【数２４】
0006918950.tif 000028
にしたがって生成されてよい。この場合、生成されたシーケンスの長さは４３ビットである。
【０２４８】
別の可能な実施形態において、３つのサブシーケンスを使用することによって、より長い新たなシーケンスが生成されてよい。例えば、新たなシーケンスが、式、
【数２５】
0006918950.tif 000029
にしたがって生成され、式中、ｃ１、ｃ２、およびｃ３は３つのサブシーケンスであり、Ｎ１、Ｎ２、およびＮ３は、当該３つのサブシーケンスの長さである。
【０２４９】
本発明のこの実施形態の解決手段では、１または複数の伝送パラメータに基づいて、各サブシーケンスの初期値が決定されてよい。さまざまなサブシーケンスに対応する伝送パラメータ（複数の場合もある）は、同じであっても、異なっていてもよい。実装例において、ランダム化される必要がある伝送パラメータが複数のグループに分割されてよく、全ての伝送パラメータグループが別々に、異なるサブシーケンスの初期値にマッピングされる。
【０２５０】
（３）複数のランダムシーケンスが規定される。複数のランダムシーケンスは、同一のタイプに属していてよい。例えば、全てのランダムシーケンスは、Ｇｏｌｄシーケンスである。当然ながら、複数のランダムシーケンスのいくつかまたは全てがそれぞれ、異なるタイプに属していてよい。例えば、複数のランダムシーケンスは、Ｇｏｌｄシーケンスおよびｍシーケンスなどを有してよい。
【０２５１】
本発明のこの実施形態の解決手段において、異なるランダムシーケンスは、異なるサービスタイプまたは異なるデバイスタイプに対応していてよい。例えば、第１ランダムシーケンスがｅＭＢＢに使用され、第２ランダムシーケンスがｍＭＴＣに使用され、第３ランダムシーケンスがＵＲＬＬＣに使用される。例えば、第１ランダムシーケンスが高性能デバイスに使用され、第２ランダムシーケンスが中程度性能の端末に使用され、第３ランダムシーケンスが低性能デバイスに使用される。
【０２５２】
ランダムシーケンスを使用することによって伝送予定データがスクランブル処理されるか、またはランダムシーケンスを使用することによって参照信号が生成されるとき、ランダムシーケンスは、伝送予定データまたは生成予定参照信号と関連付けられるシステムパラメータおよび／またはデバイスパラメータに基づいて決定されてよく、次に、伝送予定データが、決定されたランダムシーケンスを使用することによってスクランブル処理され、または、参照信号が、決定されたランダムシーケンスを使用することによって生成される。
【０２５３】
本発明のこの実施形態の解決手段では、より長いシーケンス、またはシーケンスの生成に使用されるさまざまなサブシーケンスにおいて、ランダム化予定の伝送パラメータを設定して、ランダムシーケンスの長さを延ばし、ランダム化され得る伝送パラメータの数を増やし、またはランダム化され得る伝送パラメータの長さを長くする。本発明のこの実施形態の解決手段において、伝送パラメータの一方の部分がランダムシーケンスの生成に使用されてよく、他方の部分が制御情報において搬送される。
【０２５４】
例えば、セル識別子のフィールドの一方の部分がランダムシーケンスの生成に使用され、セル識別子のフィールドの他方の部分が、制御情報において搬送されてよい。
【０２５５】
別の例では、ＲＮＴＩのフィールドの一方の部分がランダムシーケンスの生成に使用され、ＲＮＴＩのフィールドの他方の部分が、制御情報において搬送されてよい。
【０２５６】
本発明のこの実施形態の方法において、ランダムシーケンスは伝送パラメータのうちのいくつかを使用することによって生成されるので、生成されたランダムシーケンスは、従来技術において規定されるランダムシーケンスより短くてよい。生成されたランダムシーケンスが比較的短いとき、ランダムシーケンスの搬送に使用される元のビットは、他の情報の搬送に使用されてよい。例えば、サブキャリア間隔に関連する時間ドメインリソースインデックスがランダムシーケンスのより多くのビットを占有して、サブキャリア間隔に関連する時間ドメインリソースインデックス情報が完全に示され、またはランダム化されてよい。前述の伝送方法に対応して、本発明の実施形態はさらに、前述の伝送方法を行うよう構成される伝送装置を提供する。概略図に関連して、本発明の実施形態の伝送装置を以下で説明する。
【０２５７】
図１１は、本出願に係る伝送装置の概略構造図である。図１１に示す伝送装置は、前述の方法の実施形態の第１デバイスによって行われる段階を行うよう構成される。図１１に示すように、装置は、シーケンス生成モジュール３０１、伝送情報生成モジュール３０２、および送信モジュール３０３を備える。
【０２５８】
シーケンス生成モジュール３０１は、１または複数の伝送パラメータに基づいてシーケンスを生成するよう構成され、ここで、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む。伝送情報生成モジュール３０２は、シーケンスを使用することによって伝送予定情報を生成するよう構成される。
【０２５９】
送信モジュール３０３は、伝送予定情報を送信するよう構成される。
【０２６０】
可能な実施形態において、シーケンス生成モジュール３０１が１または複数の伝送パラメータに基づいてシーケンスを生成することは、具体的に、１または複数の伝送パラメータのうちの少なくとも１つに基づいてシーケンスの初期値および／またはシーケンスの最初の位置を決定することと、シーケンスの初期値および／またはシーケンスの最初の位置に基づいてシーケンスを生成することとを有する。
【０２６１】
可能な実施形態において、１または複数の伝送パラメータは、時間ドメインリソースインデックスおよび／またはセル識別子をさらに含む。
【０２６２】
可能な実施形態において、時間ドメインリソースインデックスは、シグナリングによって示される正の整数に基づいて時間ドメインリソースインデックスを決定する方式、システムメッセージ周期または同期信号伝送間隔に基づいて時間ドメインリソースインデックスを決定する方式、サブキャリア間隔に基づいて時間ドメインリソースインデックスを決定する方式、および、予め規定された持続時間内に使用されるサブキャリア間隔におけるスロットの数に基づいて時間ドメインリソースインデックスを決定する方式のうちいずれか１つの方式で決定される。
【０２６３】
可能な実施形態において、シーケンス生成モジュール３０１が１または複数の伝送パラメータのうちの少なくとも１つに基づいてシーケンスの初期値および／またはシーケンスの最初の位置を決定することは、具体的に、１または複数の伝送パラメータのうちの第１パラメータを使用することによってシーケンスの初期値を生成し、１または複数の伝送パラメータのうちの、第１パラメータとは異なる第２パラメータを使用することによってシーケンスの最初の位置を生成することか、または、同じ伝送パラメータの異なるビットに基づいて、シーケンスの初期値およびシーケンスの最初の位置をそれぞれ決定することを含む。
【０２６４】
可能な設計において、伝送情報生成モジュール３０２がシーケンスを使用することによって伝送予定情報を生成することは、具体的に、伝送予定データのサービスタイプパラメータおよび／または受信デバイスの性能タイプに基づいて、伝送予定情報の生成に使用されるシーケンスを決定し、決定されたシーケンスを使用することによって伝送予定情報を生成することを有する。
【０２６５】
可能な実施形態において、シーケンス生成モジュール３０１が１または複数の伝送パラメータに基づいてシーケンスを生成することは、具体的に、１または複数の伝送パラメータに基づいて複数のサブシーケンスを生成することであって、各サブシーケンスは、１または複数の伝送パラメータのうちの全部または一部に基づいて決定される、生成することと、複数のサブシーケンスに基づいてシーケンスを生成することであって、シーケンスの長さは、複数のサブシーケンスの長さの和である、生成することとを有する。
【０２６６】
可能な実施形態において、シーケンス生成モジュール３０１が１または複数の伝送パラメータに基づいてシーケンスを生成することは、具体的に、１または複数の伝送パラメータに基づいて複数のサブシーケンスを生成することであって、各サブシーケンスは、１または複数の伝送パラメータのうちの全部または一部に基づいて決定される、生成することを有し、それに応じて、伝送情報生成モジュール３０２がシーケンスを使用することによって伝送予定情報を生成することは、具体的に、複数のサブシーケンスを使用することによって伝送予定データをスクランブル処理し、および／もしくは、複数のサブシーケンスを使用することによって参照信号を生成することを有し、または、複数のサブシーケンスはそれぞれ、異なる時間ドメインリソースにおいて使用される。図１２は、本出願に係る別の伝送装置の概略構造図である。図１２に示す伝送装置は、前述の方法の実施形態の第１デバイスによって行われる段階を行うよう構成される。図１２に示すように、当該装置は、シーケンスの生成に使用される最初の位置を１または複数の伝送パラメータに基づいて決定するよう構成される第１生成モジュール４０１であって、１または複数の伝送パラメータは定数ではない、第１生成モジュール４０１と、シーケンスを使用することによって伝送予定情報を生成するよう構成される第２生成モジュール４０２と、伝送予定情報を送信するよう構成される送信モジュール４０３とを備える。
【０２６７】
可能な実施形態において、１または複数の伝送パラメータは、時間ドメインリソースインデックス、時間ドメインリソースタイプ、伝送波形指示情報、サブキャリア間隔指示情報、デバイスタイプ情報、サービスタイプ指示情報、ＭＩＭＯパラメータ情報、デュプレックスモード指示情報、制御チャネルフォーマット指示情報、セル識別子、および伝送キャリア指示情報のうち少なくとも１つを含む。
【０２６８】
可能な実施形態において、第１生成モジュール４０１はさらに、１または複数の伝送パラメータに基づいてシーケンスの初期値を決定するよう構成される。
【０２６９】
可能な実施形態において、シーケンスの初期値の決定に使用される伝送パラメータは、シーケンスの最初の位置の決定に使用される伝送パラメータとは異なり、または、シーケンスの初期値およびシーケンスの最初の位置は、同じ伝送パラメータの異なるビットに基づいてそれぞれ決定される。
【０２７０】
可能な実施形態において、時間ドメインリソースインデックスは、パラメータＭに基づいて決定される。ここで、パラメータＭは、パラメータＭは予め規定された正の整数とする方式、パラメータＭはシグナリングによって示される方式、パラメータＭは、システムメッセージ周期もしくは同期信号伝送間隔に基づいて決定される方式、パラメータＭは、サブキャリア間隔に基づいて決定される方式、または、パラメータＭは、予め規定された持続時間内に使用されるサブキャリア間隔におけるスロット数に基づいて決定される方式のうちいずれか１つの方式で決定される。
【０２７１】
可能な実施形態において、シーケンスは、複数のサブシーケンスに基づいて決定される。ここで、各サブシーケンスは、１または複数の伝送パラメータのうちの全部または一部に基づいて決定され、シーケンスの長さは、複数のサブシーケンスの長さの和である。
【０２７２】
可能な実施形態において、シーケンスは複数のサブシーケンスを含み、各サブシーケンスは、１または複数の伝送パラメータの全部または一部に基づいて決定され、それに応じて、第２生成モジュール４０２がシーケンスを使用することによって伝送予定情報を生成することは、具体的に、複数のサブシーケンスを使用することによって伝送予定データをスクランブル処理し、および／または複数のサブシーケンスを使用することによって参照信号を生成することを有し、または、複数のサブシーケンスはそれぞれ、異なる時間ドメインリソースにおいて使用される。
【０２７３】
可能な実施形態において、第２生成モジュール４０２がシーケンスを使用することによって伝送予定情報を生成することは、具体的に、伝送予定データのサービスタイプパラメータおよび／または受信デバイスの性能タイプに基づいて、伝送予定情報の生成に使用されるシーケンスを決定し、決定されたシーケンスを使用することによって伝送予定情報を生成することを有する。図１３は、本出願に係るさらに別の伝送装置の概略構造図である。図１３に示す伝送装置は、前述の方法の実施形態の第２デバイスによって行われる段階を行うよう構成される。図１３に示すように、当該装置は、第１デバイスが送信した情報を受信するよう構成される受信モジュール５０１と、シーケンスを使用することによって、受信した情報を復調するよう構成される復調処理モジュール５０２であって、シーケンスは、１または複数の伝送パラメータに基づいて決定され、１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、復調処理モジュール５０２とを備える。
【０２７４】
可能な実施形態において、復調処理モジュール５０２はさらに、１または複数の伝送パラメータのうちの少なくとも１つに基づいて、シーケンスの初期値および／またはシーケンスの最初の位置を決定し、シーケンスの初期値および／またはシーケンスの最初の位置に基づいてシーケンスを生成するよう構成される。
【０２７５】
可能な実施形態において、１または複数の伝送パラメータは、時間ドメインリソースインデックスおよび／またはセル識別子をさらに含む。
【０２７６】
可能な設計において、時間ドメインリソースインデックスは、シグナリングによって示される正の整数に基づいて時間ドメインリソースインデックスを決定する方式、システムメッセージ周期または同期信号伝送間隔に基づいて時間ドメインリソースインデックスを決定する方式、サブキャリア間隔に基づいて時間ドメインリソースインデックスを決定する方式、および、予め規定された持続時間内に使用されるサブキャリア間隔におけるスロットの数に基づいて時間ドメインリソースインデックスを決定する方式のうちいずれか１つの方式で決定される。
【０２７７】
可能な実施形態において、復調処理モジュール５０２が１または複数の伝送パラメータのうちの少なくとも１つに基づいてシーケンスの初期値および／またはシーケンスの最初の位置を決定することは、具体的に、１または複数の伝送パラメータのうちの第１パラメータを使用することによってシーケンスの初期値を生成し、１または複数の伝送パラメータのうちの、第１パラメータとは異なる第２パラメータを使用することによってシーケンスの最初の位置を生成することか、または、同じ伝送パラメータの異なるビットに基づいて、シーケンスの初期値およびシーケンスの最初の位置をそれぞれ決定することを含む。
【０２７８】
可能な実施形態において、復調処理モジュール５０２がシーケンスを使用することによって、受信した情報を復調することは、具体的に、伝送されたデータのサービスタイプパラメータおよび／または受信デバイスの性能タイプに基づいて、受信した情報の復調に使用されるシーケンスを決定することと、決定されたシーケンスを使用することによって、受信した情報を復調することとを有する。
【０２７９】
可能な実施形態において、シーケンスが１または複数の伝送パラメータに基づいて決定されることは、シーケンスが複数のサブシーケンスに基づいて決定されることを含み、ここで、各サブシーケンスは、１または複数の伝送パラメータのうちの全部または一部に基づいて決定され、シーケンスの長さは、複数のサブシーケンスの長さの和である。
【０２８０】
可能な実施形態において、シーケンスが１または複数の伝送パラメータに基づいて決定されることは、シーケンスが複数のサブシーケンスを含むことを有し、各サブシーケンスは、１または複数の伝送パラメータの全部または一部に基づいて決定され、また、復調処理モジュール５０２が、シーケンスを使用することによって、受信した情報を復調することは、具体的に、複数のサブシーケンスを使用することによって、受信した情報を復調することを有し、または、複数のサブシーケンスはそれぞれ、異なる時間ドメインリソースにおいて使用される。
【０２８１】
図１４は、本出願に係るさらに別の伝送装置の概略構造図である。図１４に示す伝送装置は、前述の方法の実施形態の第２伝送装置によって行われる段階を行うよう構成される。図１４に示すように、当該装置は、第１デバイスが送信した情報を受信するよう構成される受信モジュール６０１と、シーケンスを使用することによって、受信した情報を復調するよう構成される処理モジュール６０２であって、シーケンスの最初の位置は、１または複数の伝送パラメータに基づいて決定され、１または複数の伝送パラメータは定数ではない、処理モジュール６０２とを備える。
【０２８２】
可能な実施形態において、１または複数の伝送パラメータは、時間ドメインリソースインデックス、時間ドメインリソースタイプ、伝送波形指示情報、サブキャリア間隔指示情報、デバイスタイプ情報、サービスタイプ指示情報、ＭＩＭＯパラメータ情報、デュプレックスモード指示情報、制御チャネルフォーマット指示情報、セル識別子、および伝送キャリア指示情報のうち少なくとも１つを含む。
【０２８３】
可能な実施形態において、シーケンスの最初の位置は、１または複数の伝送パラメータに基づいて決定される。
【０２８４】
可能な実施形態において、シーケンスの初期値の決定に使用される伝送パラメータは、シーケンスの最初の位置の決定に使用される伝送パラメータとは異なり、または、シーケンスの初期値およびシーケンスの最初の位置は、同じ伝送パラメータの異なるビットに基づいてそれぞれ決定される。
【０２８５】
可能な実施形態において、時間ドメインリソースインデックスは、パラメータＭに基づいて決定される。ここで、パラメータＭは、パラメータＭは予め規定された正の整数とする方式、パラメータはシグナリングによって示される方式、パラメータＭは、システムメッセージ周期または同期信号伝送間隔に基づいて決定される方式、パラメータＭは、サブキャリア間隔に基づいて決定される方式、および、パラメータＭは、予め規定された持続時間内に使用されるサブキャリア間隔におけるスロット数に基づいて決定される方式のうちいずれか１つの方式で決定される。
【０２８６】
可能な実施形態において、シーケンスは、複数のサブシーケンスに基づいて決定される。ここで、各サブシーケンスは、１または複数の伝送パラメータのうちの全部または一部に基づいて決定され、シーケンスの長さは、複数のサブシーケンスの長さの和である。
【０２８７】
可能な実施形態において、シーケンスは複数のサブシーケンスを含み、各サブシーケンスは、１または複数の伝送パラメータの全部または一部に基づいて決定され、それに応じて、処理モジュール６０２がシーケンスを使用することによって、受信した情報を復調することは、具体的に、複数のサブシーケンスを使用することによって、受信した情報を復調することを有し、または、複数のサブシーケンスはそれぞれ、異なる時間ドメインリソースにおいて使用される。
【０２８８】
可能な実施形態において、処理モジュール６０２がシーケンスを使用することによって、受信した情報を復調することは、具体的に、伝送されたデータのサービスタイプパラメータおよび／または受信デバイスの性能タイプに基づいて、受信した情報の復調に使用されるシーケンスを決定することと、決定されたシーケンスを使用することによって、受信した情報を復調することとを有する。本発明の実施形態の解決手段において、図１１〜図１４の伝送装置は、アクセスデバイスであってよい。図１５は、前述の実施形態のアクセスデバイスの可能な概略構造図である。図１５に示すように、アクセスデバイスは、送信機／受信機１００１、コントローラ／プロセッサ１００２、メモリ１００３、および通信ユニット１００４を備える。送信機／受信機１００１は、前述の実施形態のアクセスデバイスと端末デバイスとの間での情報の受信および送信をサポートし、端末デバイスと別の端末デバイスとの間での無線通信をサポートするよう構成される。コントローラ／プロセッサ１００２は、端末デバイスとの通信のための様々な機能を行う。アップリンクでは、端末デバイスからのアップリンク信号がアンテナを使用することによって受信され、受信機１００１によって復調され、さらにコントローラ／プロセッサ１００２によって処理されて、端末デバイスが送信したサービスデータおよびシグナリング情報が復元される。ダウンリンクでは、サービスデータおよびシグナリングメッセージがコントローラ／プロセッサ１００２によって処理され、送信機１００１によって復調されてダウンリンク信号が生成され、ダウンリンク信号は、アンテナを使用することによって端末デバイスに送信される。コントローラ／プロセッサ１００２はさらに、本発明の実施形態の解決手段における、第１デバイスまたは第２デバイスによって行われるデータ伝送方法を行う。メモリ１００３は、アクセスデバイスのプログラムコードおよびデータを記憶するよう構成される。通信ユニット１００４は、アクセスデバイスが別のネットワークエンティティと通信することをサポートするよう構成される。
【０２８９】
任意選択的に、図１５に示すアクセスデバイスを図１１に示す伝送装置として使用して本発明の実施形態の伝送方法を行うとき、図１５のコントローラ／プロセッサ１００２は、図１１のシーケンス生成モジュール３０１および伝送情報生成モジュール３０２によって実装される機能を、単独で、またはメモリ１００３と協働して実装し、送信機／受信機１００１は、図１１の送信モジュール３０３によって実装される機能を実装するよう構成される。
【０２９０】
任意選択的に、図１５に示すアクセスデバイスを図１２に示す伝送装置として使用して本発明の実施形態の伝送方法を行うとき、図１５のコントローラ／プロセッサ１００２は、図１２の第１生成モジュール４０１および第２生成モジュール４０２によって実装される機能を、単独で、またはメモリ１００３と協働して実装し、送信機／受信機１００１は、図１２の送信モジュール４０３によって実装される機能を実装するよう構成される。
【０２９１】
任意選択的に、図１５に示すアクセスデバイスを図１３に示す伝送装置として使用して本発明の実施形態の伝送方法を行うとき、図１５のコントローラ／プロセッサ１００２は、図１３の復調処理モジュール５０２によって実装される機能を、単独で、またはメモリ１００３と協働して実装し、送信機／受信機１００１は、図１３の受信モジュール５０１によって実装される機能を実装するよう構成される。
【０２９２】
任意選択的に、図１５に示すアクセスデバイスを図１４に示す伝送装置として使用して本発明の実施形態の伝送方法を行うとき、図１５のコントローラ／プロセッサ１００２は、図１４の処理モジュール６０２によって実装される機能を、単独で、またはメモリ１００３と協働して実装し、送信機／受信機１００１は、図１４の受信モジュール６０１によって実装される機能を実装するよう構成される。
【０２９３】
図１５がアクセスデバイスの簡略化された実施形態を示しているに過ぎないことが理解されよう。実際の適用では、アクセスデバイスは、任意の数の送信機、受信機、プロセッサ、コントローラ、メモリ、および通信ユニットなどを備えてよく、本発明を実装できるアクセスデバイスは、本発明の保護範囲に含まれる。
【０２９４】
本発明の実施形態の解決手段において、図１１〜図１４の伝送装置は端末デバイスであってよい。図１６は、前述の実施形態の端末デバイスの簡略化された可能な実施形態の構造の概略図である。端末デバイスは、送信機１１０１、受信機１１０２、コントローラ／プロセッサ１１０３、メモリ１１０４、およびモデムプロセッサ１１０５を備える。
【０２９５】
送信機１１０１は、出力サンプルを調整し（例えば、アナログ変換、フィルタリング、増幅、およびアップコンバージョンを行い）、アップリンク信号を生成する。アップリンク信号は、アンテナを使用することによって前述の実施形態のアクセスデバイスに送信される。ダウンリンクでは、アンテナは、前述の実施形態のアクセスデバイスが送信したダウンリンク信号を受信する。受信機１１０２は、アンテナから受信された信号を調整し（例えば、フィルタリング、増幅、ダウンコンバージョン、およびデジタル化を行い）、入力サンプルを提供する。モデムプロセッサ１１０５において、エンコーダ１１０６は、アップリンクで送信予定のサービスデータおよびシグナリングメッセージを受け取り、サービスデータおよびシグナリングメッセージを処理する（例えば、フォーマット、符号化、およびインターリーブを行う）。変調器１１０７がさらに、符号化されたサービスデータおよび符号化されたシグナリングメッセージを処理し（例えば、シンボルマッピングおよび変調を行い）、出力サンプルを提供する。復調器１１０９が、入力サンプルを処理し（例えば復調し）、シンボル推定を提供する。デコーダ１１０８がそのシンボル推定を処理し（例えば、デインターリーブおよび復号を行い）、端末デバイスに送信予定の復号されたデータおよび復号されたシグナリングメッセージを提供する。エンコーダ１１０６、変調器１１０７、復調器１１０９、およびデコーダ１１０８は、複合モデムプロセッサ１１０５によって実装されてよい。これらのユニットは、無線アクセスネットワークにおいて使用される無線アクセス技術（例えば、ＬＴＥおよび他の進化したシステムにおけるアクセス技術）に基づいて処理を行う。
【０２９６】
コントローラ／プロセッサ１１０３は、端末デバイスの動作を制御および管理し、本発明の実施形態の、第１デバイスまたは第２デバイスによって行われるデータ伝送方法を行うよう構成される。メモリ１１０４は、端末デバイスによって使用されるプログラムコードおよびデータを記憶するよう構成される。
【０２９７】
任意選択的に、図１６に示す端末デバイスを図１１に示す伝送装置として使用して本発明の実施形態の伝送方法を行うとき、図１６のコントローラ／プロセッサ１１０３は、図１１のシーケンス生成モジュール３０１および伝送情報生成モジュール３０２によって実装される機能を、単独で、またはメモリ１１０４と協働して実装し、送信機１１０１は、図１１の送信モジュール３０３によって実装される機能を実装するよう構成される。
【０２９８】
任意選択的に、図１６に示す端末デバイスを図１２に示す伝送装置として使用して本発明の実施形態の伝送方法を行うとき、図１６のコントローラ／プロセッサ１１０３は、図１２の第１生成モジュール４０１および第２生成モジュール４０２によって実装される機能を、単独で、またはメモリ１００３と協働して実装し、送信機１１０１は、図１２の送信モジュール４０３によって実装される機能を実装するよう構成される。
【０２９９】
任意選択的に、図１６に示す端末デバイスを図１３に示す伝送装置として使用して本発明の実施形態の伝送方法を行うとき、図１６のコントローラ／プロセッサ１１０３は、図１３の復調処理モジュール５０２によって実装される機能を、単独で、またはメモリ１００３と協働して実装し、受信機１１０２は、図１３の受信モジュール５０１によって実装される機能を実装するよう構成される。
【０３００】
任意選択的に、図１６に示す端末デバイスを図１４に示す伝送装置として使用して本発明の実施形態の伝送方法を行うとき、図１６のコントローラ／プロセッサ１１０３は、図１４の処理モジュール６０２によって実装される機能を、単独で、またはメモリ１００３と協働して実装し、受信機１１０２は、図１４の受信モジュール６０１によって実装される機能を実装するよう構成される。
【０３０１】
本発明の前述のアクセスデバイスまたは端末デバイスの機能を行うよう構成されるコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネント、またはそれらの任意の組み合わせであってよい。コントローラ／プロセッサは、本発明において開示されている内容に関連して説明した様々な例示的論理ブロック、モジュール、および回路を実装または実行してよい。あるいは、プロセッサは、計算機能を実装する組み合わせ、例えば、１または複数のマイクロプロセッサを含む組み合わせ、または、ＤＳＰとマイクロプロセッサとの組み合わせであってよい。
【０３０２】
本発明において開示されている内容に関連して説明した方法またはアルゴリズムの段階は、ハードウェアによって実装されてよく、または、ソフトウェア命令を実行することによりプロセッサによって実装されてよい。ソフトウェア命令は、対応するソフトウェアモジュールを含んでよい。ソフトウェアモジュールは、ＲＡＭ、フラッシュメモリ、ＲＯＭ、ＥＰＲＯＭ、ＥＥＰＲＯＭ、レジスタ、ハードディスク、リムーバブルハードディスク、ＣＤ−ＲＯＭ、または、当技術分野において周知の任意の他の形態の記憶媒体に記憶されてよい。例示的記憶媒体がプロセッサに結合され、それによって、プロセッサは記憶媒体から情報を読み出すことができ、記憶媒体に情報を書き込むことができる。当然ながら、記憶媒体はプロセッサのコンポーネントであってよい。プロセッサおよび記憶媒体はＡＳＩＣに配置されてよい。加えて、ＡＳＩＣは、端末デバイスに配置されてよい。当然ながら、プロセッサと記憶媒体とは、端末デバイス内に個別のアセンブリとして存在してよい。
【０３０３】
当業者であれば、前述の１または複数の例において、本発明において説明した機能がハードウェア、ソフトウェア、ファームウェア、またはそれらの任意の組み合わせによって実装され得ることを認識しているはずである。機能がソフトウェアによって実装されるとき、機能は、コンピュータ可読媒体に記憶され、または、コンピュータ可読媒体において１または複数の命令もしくはコードとして伝送されてよい。コンピュータ可読媒体は、コンピュータ記憶媒体および通信媒体を含む。通信媒体は、コンピュータプログラムが、ある場所から別の場所へと伝送されることを可能にする任意の媒体を含む。記憶媒体は、汎用コンピュータまたは専用コンピュータにとってアクセス可能な任意の利用可能な媒体であってよい。
【０３０４】
前述の具体的な実装例において、本発明の目的、技術的解決手段、および有益な効果がさらに、詳細に説明されている。前述の説明は本発明の具体的な実装例に過ぎず、本発明の保護範囲を限定することを意図するものではないことを理解されたい。本発明の技術的解決手段に基づいて成された変更、均等な置き換え、または改良などはいずれも、本発明の保護範囲に含まれるものとする。
［項目１］
伝送方法であって、
第１デバイスが１または複数の伝送パラメータに基づいてシーケンスを生成する段階であって、上記１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、または伝送キャリア指示情報のうち少なくとも１つを含む、段階と、
上記第１デバイスが上記シーケンスを使用することによって伝送予定情報を生成する段階と、
上記第１デバイスが上記生成された情報を送信する段階と
を備える
方法。
［項目２］
第１デバイスが１または複数の伝送パラメータに基づいてシーケンスを生成する上記段階は、
上記第１デバイスが上記１または複数の伝送パラメータのうちの少なくとも１つに基づいて上記シーケンスの初期値および／または上記シーケンスの最初の位置を決定し、上記シーケンスの上記初期値および／または上記シーケンスの上記最初の位置に基づいて上記シーケンスを生成する段階を有する、
項目１に記載の方法。
［項目３］
上記１または複数の伝送パラメータは、時間ドメインリソースインデックスおよび／またはセル識別子をさらに含む、
項目１または２に記載の方法。
［項目４］
上記時間ドメインリソースインデックスは、
シグナリングによって示される正の整数に基づいて上記時間ドメインリソースインデックスを決定する方式、
システムメッセージ周期または同期信号伝送間隔に基づいて上記時間ドメインリソースインデックスを決定する方式、
サブキャリア間隔に基づいて上記時間ドメインリソースインデックスを決定する方式、および
予め規定された持続時間内に使用されるサブキャリア間隔におけるスロットの数に基づいて上記時間ドメインリソースインデックスを決定する方式
のうちいずれか１つの方式で決定される、
項目３に記載の方法。
［項目５］
上記第１デバイスが上記１または複数の伝送パラメータのうちの少なくとも１つに基づいて上記シーケンスの初期値および／または上記シーケンスの最初の位置を決定する上記段階は、
上記第１デバイスが上記１または複数の伝送パラメータのうちの第１パラメータを使用することによって上記シーケンスの上記初期値を生成し、上記１または複数の伝送パラメータのうちの、第１パラメータとは異なる第２パラメータを使用することによって上記シーケンスの上記最初の位置を生成する段階、または、
同じ伝送パラメータの異なるビットに基づいて上記シーケンスの上記初期値および上記シーケンスの上記最初の位置をそれぞれ決定する段階
を含む、
項目２に記載の方法。
［項目６］
上記第１デバイスが上記シーケンスを使用することによって伝送予定情報を生成する上記段階は、
上記第１デバイスが、上記伝送予定情報の生成に使用される上記シーケンスを、伝送予定データのサービスタイプパラメータおよび／または受信デバイスの性能タイプに基づいて決定する段階と、
上記第１デバイスが、上記決定されたシーケンスを使用することによって上記伝送予定情報を生成する段階と
を有する、
項目１から５のうちいずれか一項に記載の方法。
［項目７］
第１デバイスが１または複数の伝送パラメータに基づいてシーケンスを生成する上記段階は、
上記第１デバイスが上記１または複数の伝送パラメータに基づいて複数のサブシーケンスを生成する段階であって、各サブシーケンスは、上記１または複数の伝送パラメータの全部または一部に基づいて決定される、段階と、
上記第１デバイスが上記複数のサブシーケンスに基づいて上記シーケンスを生成する段階であって、上記シーケンスの長さは、上記複数のサブシーケンスの長さの和である、段階と
を有する、
項目１から６のうちいずれか一項に記載の方法。
［項目８］
第１デバイスが１または複数の伝送パラメータに基づいてシーケンスを生成する上記段階は、
上記第１デバイスが上記１または複数の伝送パラメータに基づいて複数のサブシーケンスを生成する段階であって、各サブシーケンスは、上記１または複数の伝送パラメータの全部または一部に基づいて決定される、段階を有し、
それに応じて、上記第１デバイスが上記シーケンスを使用することによって伝送予定情報を生成する上記段階は、
上記第１デバイスが上記複数のサブシーケンスを使用することによって上記伝送予定データをスクランブル処理し、および／もしくは、上記複数のサブシーケンスを使用することによって参照信号を生成する段階を有し、または、上記複数のサブシーケンスはそれぞれ、異なる時間ドメインリソースにおいて使用される、
項目１から６のうちいずれか一項に記載の方法。
［項目９］
伝送方法であって、
第２デバイスが、第１デバイスが送信した情報を受信する段階と、
上記第２デバイスがシーケンスを使用することによって、受信した上記情報を復調する段階であって、上記シーケンスは、１または複数の伝送パラメータに基づいて決定され、上記１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、段階と
を備える
方法。
［項目１０］
上記第２デバイスが上記１または複数の伝送パラメータのうちの少なくとも１つに基づいて上記シーケンスの初期値および／または上記シーケンスの最初の位置を決定し、上記シーケンスの上記初期値および／または上記シーケンスの上記最初の位置に基づいて上記シーケンスを生成する段階
をさらに備える
項目９に記載の方法。
［項目１１］
上記１または複数の伝送パラメータは、時間ドメインリソースインデックスおよび／またはセル識別子をさらに含む、
項目９または１０に記載の方法。
［項目１２］
上記時間ドメインリソースインデックスは、
シグナリングによって示される正の整数に基づいて上記時間ドメインリソースインデックスを決定する方式、
システムメッセージ周期または同期信号伝送間隔に基づいて上記時間ドメインリソースインデックスを決定する方式、
サブキャリア間隔に基づいて上記時間ドメインリソースインデックスを決定する方式、および
予め規定された持続時間内に使用されるサブキャリア間隔におけるスロットの数に基づいて上記時間ドメインリソースインデックスを決定する方式
のうちいずれか１つの方式で決定される、
項目１１に記載の方法。
［項目１３］
上記第２デバイスが上記１または複数の伝送パラメータのうちの少なくとも１つに基づいて上記シーケンスの初期値および／または上記シーケンスの最初の位置を決定する上記段階は、
上記第２デバイスが上記１または複数の伝送パラメータのうちの第１パラメータを使用することによって上記シーケンスの上記初期値を生成し、上記１または複数の伝送パラメータのうちの、第１パラメータとは異なる第２パラメータを使用することによって上記シーケンスの上記最初の位置を生成する段階、または、
同じ伝送パラメータの異なるビットに基づいて上記シーケンスの上記初期値および上記シーケンスの上記最初の位置をそれぞれ決定する段階
を含む、
項目１０に記載の方法。
［項目１４］
上記第２デバイスがシーケンスを使用することによって、上記受信した情報を復調する上記段階は、
上記第２デバイスが、上記受信した情報の復調に使用される上記シーケンスを、伝送されたデータのサービスタイプパラメータおよび／または受信デバイスの性能タイプに基づいて決定する段階と、
上記第２デバイスが、上記決定されたシーケンスを使用することによって上記受信した情報を復調する段階とを有する、
項目９から１３のうちいずれか一項に記載の方法。
［項目１５］
上記シーケンスが１または複数の伝送パラメータに基づいて決定されることは、
上記シーケンスが複数のサブシーケンスに基づいて決定されることを含み、各サブシーケンスは、上記１または複数の伝送パラメータの全部または一部に基づいて決定され、上記シーケンスの長さは、上記複数のサブシーケンスの長さの和である、
項目９から１４のうちいずれか一項に記載の方法。
［項目１６］
上記シーケンスが１または複数の伝送パラメータに基づいて決定されることは、上記シーケンスが複数のサブシーケンスを含むことを含み、各サブシーケンスは、上記１または複数の伝送パラメータの全部または一部に基づいて決定され、
それに応じて、上記第２デバイスがシーケンスを使用することによって、上記受信した情報を復調する上記段階は、
上記第２デバイスが上記複数のサブシーケンスを使用することによって、上記受信した情報を復調する段階を有し、または、上記複数のサブシーケンスはそれぞれ、異なる時間ドメインリソースにおいて使用される、
項目９から１４のうちいずれか一項に記載の方法。
［項目１７］
伝送装置であって、
１または複数の伝送パラメータに基づいてシーケンスを生成するよう構成されるシーケンス生成モジュールであって、上記１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、シーケンス生成モジュールと、
上記シーケンスを使用することによって伝送予定情報を生成するよう構成される伝送情報生成モジュールと、
上記伝送予定情報を送信するよう構成される送信モジュールと
を備え、第１デバイスに配置される
装置。
［項目１８］
上記シーケンス生成モジュールが上記１または複数の伝送パラメータに基づいて上記シーケンスを生成することは、具体的に、
上記１または複数の伝送パラメータのうちの少なくとも１つに基づいて上記シーケンスの初期値および／または上記シーケンスの最初の位置を決定し、上記シーケンスの上記初期値および／または上記シーケンスの前期最初の位置に基づいて上記シーケンスを生成することを有する、
項目１７に記載の装置。
［項目１９］
上記１または複数の伝送パラメータは、時間ドメインリソースインデックスおよび／またはセル識別子をさらに含む、
項目１７または１８に記載の装置。
［項目２０］
上記時間ドメインリソースインデックスは、
シグナリングによって示される正の整数に基づいて上記時間ドメインリソースインデックスを決定する方式、
システムメッセージ周期または同期信号伝送間隔に基づいて上記時間ドメインリソースインデックスを決定する方式、
サブキャリア間隔に基づいて上記時間ドメインリソースインデックスを決定する方式、および
予め規定された持続時間内に使用されるサブキャリア間隔におけるスロットの数に基づいて上記時間ドメインリソースインデックスを決定する方式
のうちいずれか１つの方式で決定される、
項目１９に記載の装置。
［項目２１］
上記シーケンス生成モジュールが上記１または複数の伝送パラメータのうちの上記少なくとも１つに基づいて上記シーケンスの上記初期値および／または上記シーケンスの上記最初の位置を決定することは、具体的に、
上記１または複数の伝送パラメータのうちの第１パラメータを使用することによって上記シーケンスの上記初期値を生成し、上記１または複数の伝送パラメータのうちの、上記第１パラメータとは異なる第２パラメータを使用することによって上記シーケンスの上記最初の位置を生成すること、または
同じ伝送パラメータの異なるビットに基づいて上記シーケンスの上記初期値および上記シーケンスの上記最初の位置をそれぞれ決定すること
を含む、
項目１８に記載の装置。
［項目２２］
上記伝送情報生成モジュールが上記シーケンスを使用することによって上記伝送予定情報を生成することは、具体的に、
上記伝送予定情報の生成に使用される上記シーケンスを、伝送予定データのサービスタイプパラメータおよび／または受信デバイスの性能タイプに基づいて決定することと、
上記決定されたシーケンスを使用することによって上記伝送予定情報を生成することと
を有する、
項目１７から２１のうちいずれか一項に記載の装置。
［項目２３］
上記シーケンス生成モジュールが上記１または複数の伝送パラメータに基づいて上記シーケンスを生成することは、具体的に、
上記１または複数の伝送パラメータに基づいて複数のサブシーケンスを生成することであって、各サブシーケンスは、上記１または複数の伝送パラメータの全部または一部に基づいて決定される、生成することと、
上記複数のサブシーケンスに基づいて上記シーケンスを生成することであって、上記シーケンスの長さは、上記複数のサブシーケンスの長さの和である、生成することと
を有する、
項目１７から２２のうちいずれか一項に記載の装置。
［項目２４］
上記シーケンス生成モジュールが上記１または複数の伝送パラメータに基づいて上記シーケンスを生成することは、具体的に、
上記１または複数の伝送パラメータに基づいて複数のサブシーケンスを生成することであって、各サブシーケンスは、上記１または複数の伝送パラメータの全部または一部に基づいて決定される、生成することを有し、
それに応じて、上記伝送情報生成モジュールが上記シーケンスを使用することによって上記伝送予定情報を生成することは、具体的に、
上記複数のサブシーケンスを使用することによって上記伝送予定データをスクランブル処理し、および／もしくは、上記複数のサブシーケンスを使用することによって参照信号を生成することを有し、または、上記複数のサブシーケンスはそれぞれ、異なる時間ドメインリソースにおいて使用される、
項目１７から２２のうちいずれか一項に記載の装置。
［項目２５］
伝送装置であって、
第１デバイスが送信した情報を受信するよう構成される受信モジュールと、
シーケンスを使用することによって、受信した上記情報を復調するよう構成される復調処理モジュールであって、上記シーケンスは、１または複数の伝送パラメータに基づいて決定され、上記１または複数の伝送パラメータは、時間ドメインリソースタイプ、伝送波形指示情報、サブキャリア間隔指示情報、デバイスタイプ情報、サービスタイプ指示情報、多入力多出力ＭＩＭＯパラメータ情報、デュプレックスモード指示情報、制御チャネルフォーマット指示情報、および伝送キャリア指示情報のうち少なくとも１つを含む、復調処理モジュールと
を備え、第２デバイスに配置される
装置。
［項目２６］
上記復調処理モジュールはさらに、上記１または複数の伝送パラメータのうちの少なくとも１つに基づいて、上記シーケンスの初期値および／または上記シーケンスの最初の位置を決定し、上記シーケンスの上記初期値および／または上記シーケンスの上記最初の位置に基づいて上記シーケンスを生成するよう構成される、
項目２５に記載の装置。
［項目２７］
上記１または複数の伝送パラメータは、時間ドメインリソースインデックスおよび／またはセル識別子をさらに含む、
項目２５または２６に記載の装置。
［項目２８］
上記時間ドメインリソースインデックスは、
シグナリングによって示される正の整数に基づいて上記時間ドメインリソースインデックスを決定する方式、
システムメッセージ周期または同期信号伝送間隔に基づいて上記時間ドメインリソースインデックスを決定する方式、
サブキャリア間隔に基づいて上記時間ドメインリソースインデックスを決定する方式、および
予め規定された持続時間内に使用されるサブキャリア間隔におけるスロットの数に基づいて上記時間ドメインリソースインデックスを決定する方式
のうちいずれか１つの方式で決定される、
項目２７に記載の装置。
［項目２９］
上記復調処理モジュールが上記１または複数の伝送パラメータのうちの上記少なくとも１つに基づいて上記シーケンスの上記初期値および／または上記シーケンスの上記最初の位置を決定することは、具体的に、
上記１または複数の伝送パラメータのうちの第１パラメータを使用することによって上記シーケンスの上記初期値を生成し、上記１または複数の伝送パラメータのうちの、上記第１パラメータとは異なる第２パラメータを使用することによって上記シーケンスの上記最初の位置を生成すること、または、
同じ伝送パラメータの異なるビットに基づいて上記シーケンスの上記初期値および上記シーケンスの上記最初の位置をそれぞれ決定することを有する、
項目２６に記載の装置。
［項目３０］
上記復調処理モジュールが上記シーケンスを使用することによって、上記受信した情報を復調することは、具体的に、
上記受信した情報の復調に使用される上記シーケンスを、伝送されたデータのサービスタイプパラメータおよび／または受信デバイスの性能タイプに基づいて決定することと、
上記決定されたシーケンスを使用することによって、上記受信した情報を復調することと
を有する、
項目２５から２９のうちいずれか一項に記載の装置。
［項目３１］
上記シーケンスが１または複数の伝送パラメータに基づいて決定されることは、
上記シーケンスが複数のサブシーケンスに基づいて決定されることを含み、各サブシーケンスは、上記１または複数の伝送パラメータの全部または一部に基づいて決定され、上記シーケンスの長さは、上記複数のサブシーケンスの長さの和である、
項目２５から３０のうちいずれか一項に記載の装置。
［項目３２］
上記シーケンスが１または複数の伝送パラメータに基づいて決定されることは、上記シーケンスが複数のサブシーケンスを含むことを含み、各サブシーケンスは、上記１または複数の伝送パラメータの全部または一部に基づいて決定され、
上記復調処理モジュールが上記シーケンスを使用することによって、上記受信した情報を復調することは、具体的に、
上記複数のサブシーケンスを使用することによって、上記受信した情報を復調することを有し、または、上記複数のサブシーケンスはそれぞれ、異なる時間ドメインリソースにおいて使用される、
項目２５から３０のうちいずれか一項に記載の装置。
［項目３３］
命令を備えるコンピュータ可読記憶媒体であって、上記命令は、コンピュータ上で動作すると、項目１から８のうちいずれか一項に記載の方法を上記コンピュータに行わせる、または、項目９から１６のうちいずれか一項に記載の方法を上記コンピュータに行わせる、
コンピュータ可読記憶媒体。
［項目３４］
コンピュータ上で動作すると、項目１から８のうちいずれか一項に記載の方法を上記コンピュータに行わせる、または、項目９から１６のうちいずれか一項に記載の方法を上記コンピュータに行わせる、
コンピュータプログラム製品。
［項目３５］
メモリと、プロセッサと、上記メモリに記憶され、上記プロセッサ上で動作可能なコンピュータプログラムとを備える通信デバイスであって、上記プロセッサは、上記プログラムを実行すると、項目１から８のうちいずれか一項に記載の方法を実施し、または、項目９から１６のうちいずれか一項に記載の方法を実施する、
通信デバイス。
【図１】
0006918950.tif 000030
【図２】
0006918950.tif 000031
【図３】
0006918950.tif 000032
【図４】
0006918950.tif 000033
【図５】
0006918950.tif 000034
【図６】
0006918950.tif 000035
【図７】
0006918950.tif 000036
【図８】
0006918950.tif 000037
【図９】
0006918950.tif 000038
【図１０】
0006918950.tif 000039
【図１１】
0006918950.tif 000040
【図１２】
0006918950.tif 000041
【図１３】
0006918950.tif 000042
【図１４】
0006918950.tif 000043
【図１５】
0006918950.tif 000044
【図１６】
0006918950.tif 000045